(57)【要約】【課題】二個の磁気検出手段と少ない磁石とで筐体の状態が開状態、閉状態、表示部を外側に向けて閉じた表示背面の閉状態、表示背面の閉状態で９０度回転させた９０度状態の、４種の状態のいずれかであることを特定可能な携帯電子機器を提供する。【解決手段】表示筐体１１及び操作筐体２１と、両筐体１１、２１を連結端部で開閉可能とすると共に、表示筐体１１を表示面１１Ａに垂直な軸Ｂ周り及び平行な軸Ｃ周りに回転可能とするユニバーサルヒンジ部３０と、表示筐体１１に装着された第１磁石１２及び第２磁石１３と、これらの各磁石１２，１３に対応して操作筐体２１に装着された第１ホールＩＣ２２，第２ホールＩＣ２３と、これらの各ホールＩＣ２２，２３からの検出情報に基づいて表示筐体１１と操作筐体２１の上記各開閉状態を判別する状態判別手段３５とを備えたこと。【選択図】  図１
2007208335.tif 000002
【特許請求の範囲】
【請求項１】
表示部を有する第１の筐体と、この第１の筐体と対をなすと共に操作部を有する第２の筐体を備えた携帯電子機器において、
前記第１の筐体と第２の筐体とをその各端部で開閉可能に連結すると共に当該端部で前記第１の筐体を当該筐体の表示部に垂直な軸周り及び当該表示部に平行な軸周りにそれぞれ回転可能とするユニバーサルヒンジ部を装備し、
前記第１の筐体又は第２の筐体のいずれか一方の平面部に装着した第１磁石及び第２磁石と、この各磁石に対応して前記第１の筐体又は第２の筐体のいずれか一方の平面部に装着した磁気検出用の第１の磁気検出手段および第２の磁気検出手段とを備え、
前記第１の磁気検出手段の検出情報に基づいて前記第１の筐体と第２の筐体との開閉状態を判別すると共に、前記第２の磁気検出手段の検出情報に基づいて前記第１の筐体の回転状態を判別する状態判別手段とを備えたことを特徴とする携帯電子機器。
【請求項２】
前記請求項１に記載の携帯用電子機器において、
前記第１磁石と第１の磁気検出手段とが、および前記第２磁石と第２の磁気検出手段とが、それぞれ前記第１の筐体と第２の筐体とを相対的に折り畳んだ場合、それぞれの磁石と対応する磁気検出手段とが重なり合うような位置に配置し装着したことを特徴とする携帯電子機器。
【請求項３】
前記請求項１又は２に記載の携帯電子機器において、
前記第１磁石と第１の磁気検出手段とを前記第１の筐体と第２の筐体とのそれぞれの幅方向の中央部に装着すると共に、前記第２磁石と第２の磁気検出手段とを前記第１の筐体と第２の筐体上でそれぞれ前記ユニバーサルヒンジ部の一方の側の端部に近接して装着したことを特徴とする携帯電子機器。
【請求項４】
表示部を有する第１の筐体と、この第１の筐体と対をなすと共に操作部を有する第２の筐体を備えた携帯電子機器において、
前記第１の筐体と第２の筐体とをその各端部で開閉可能に連結すると共に当該端部で前記第１の筐体を当該筐体の表示部に垂直な軸周り及び当該表示部に平行な軸周りにそれぞれ回転可能とするユニバーサルヒンジ部を装備し、
前記第１の筐体及び第２の筐体のいずれか一方の平面部に装着した第１磁石，第２磁石，及び第３磁石と、前記第１磁石または第２磁石のいずれかの磁気を検出する第１の磁気検出手段と、前記第１の筐体及び第２の筐体のいずれか一方の平面部に装着した前記第３磁石の磁気を検出する第２の磁気検出手段とを装備し、
前記第１の磁気検出手段の検出情報から前記第１の筐体，及び第２の筐体の開閉状態を判別すると共に前記第２の磁気検出手段の検出情報から前記第１の筐体の回転状態を判別する状態判別手段を備えたことを特徴とする携帯電子機器。
【請求項５】
前記請求項４に記載の携帯電子機器において、
前記第１磁石及び第２磁石のいずれか一方と前記第１の磁気検出手段，及び前記第３磁石と前記第２の磁気検出手段とを、前記第１の筐体と第２の筐体とを相対的に折り畳んだ場合に、それぞれの磁石と磁気検出手段とが重なり合うような位置に配置して装着することを特徴とする携帯電子機器。
【請求項６】
前記請求項４又は５に記載の携帯電子機器において、
前記第１磁石と第２磁石とのうち一方をＳ極とし他方をＮ極とすると共に、当該第１磁石と第２磁石とを第１の筐体の幅方向に沿った直線上に所定距離隔てて配置し、前記第１の磁気検出手段を前記第１磁石と第２磁石とのいずれか一つに対応させたことを特徴とする携帯電子機器。
【請求項７】
前記請求項１乃至６のいずれか一つに記載の携帯電子機器において、
前記状態判別手段を、前記第１の磁気検出手段及び第２の磁気検出手段で検出すると共に当該出力された信号を入力するＣＰＵで構成すると共に、このＣＰＵが、前記第１の磁気検出手段及び第２の磁気検出手段からの検出信号を入力した場合に、当該受信した検出信号を、予め作成された前記第１の磁気検出手段及び第２の磁気検出手段からの検出信号とこれらの検出信号に対応する状態の組み合わせ情報のうち、当該組み合わせ情報のいずれに該当するかを判別する機能を備えていることを特徴とした携帯電子機器。
【発明の詳細な説明】
【技術分野】
【０００１】
本発明は、携帯電子機器に係り、さらに詳しくは、表示部を有する第１筐体と操作部を有する第２筐体との、開状態、閉状態、表示背面の閉状態、９０度状態の４種の状態を、回転角度検出回路などを用いることなく、少ない数の磁石とホールＩＣとで検出し得る折り畳み式の携帯電子機器に関する。
【背景技術】
【０００２】
近年、携帯情報端末、特に携帯電話機の普及が著しい。携帯電話機としては、ストレートタイプ、折り畳みタイプなどが用いられており、特に、折り畳みタイプの携帯電話機は、コンパクトに収納できることから広く用いられ、需要が拡大している。
ところで、現在の携帯電話機は、一段と多機能化が進み、通話に限らず、インターネット等のプラウザ、電子メール送受信端末、スケジュール管理等の機能を付加した携帯情報端末としても利用されるようになってきており、その表示内容は、多量の文字情報や画像等、多岐にわたっている。
また、カメラ撮影時やＴＶ機能付き携帯電話も開発され、そのＴＶ視聴時に横長表示で見る構成のものも多くなっている。
そのため、単に折り畳み機能を有するものでは、多機能な携帯電話の要望に対応できない。そのため、２軸、３軸構造、あるいはヒンジ部に開閉機構と回転機構を併せ持つユニバーサルヒンジ機構を有する携帯電話も開発され、表示面を有する第１筐体を、開いた状態、閉じた状態の他、回転させた状態等、複数の状態のそれぞれを維持して使用できる構造の携帯電話も用いられている。そして、このような構造のものでは、制御部においてそれぞれの状態を検出し、且つ認識できるように構成されているものが多い。
【０００３】
例えば、上筐体を下筐体に対して、上筐の長手方向の開閉機能、および短手方向の開閉機能を有し、且つ上筐体の表裏を反転した状態で折り畳む機能を有する折り畳み式携帯電話装置が知られている（例えば、特許文献１参照）。
【０００４】
図１５に示すように、この特許文献１で開示される携帯電話１００は、下筐体１０１に対してヒンジユニット１０２を介して上筐体１０３が開閉可能となっている。
ヒンジユニット１０２は、第１の回転軸１０４と第２の回転軸１０５とを備えた第１のヒンジユニット１２１と、第２の回転軸１０５と連結すると共に、第３の回転軸１０６を有する第２のヒンジユニット１２２とを備えて構成されている。
【０００５】
以上の各回転軸１０４，１０５，１０６の回転は、回転角度検出手段により検出されるようになっている。
ここで、図１６に、図１５のＸ−Ｘ線に沿った断面を示す。この図１６に示すように、第１の回転軸１０４におけるフランジ１０４ａの表面に複数個の磁石１３０が取り付けられ、これらの磁石１３０の接近を、プリント基板１１３に取り付けられた第１の回転検出手段１３１で検出して、第１のヒンジユニット１２１の回転角度を検出するようになっている。
上記と同じように、第２の回転軸１０５の端面に複数個の磁石１３２が取り付けられ、これらの磁石１３２の接近を、第２の回転軸１０５の近傍に取り付けられた第２の回転検出手段１３３で検出して、第２のヒンジユニット１２２の回転角度を検出するようになっている。
また、第３の回転軸１０６の端面にも複数個の磁石が取り付けられ、これらの磁石の接近を、第２のヒンジユニット１２２内において第３の回転軸１０６の近傍に取り付けられた第３の回転検出手段１３５で検出して、第３の回転軸１０６の回転角度を検出するようになっている。
尚、前記図１５〜図１６における各部品の符号は、従来例の図の符号に説明の便宜上、１００番台の数字を付してあるだけであり、内容はまったく同じものである。ただし、携帯電話１００の符号はそのままとする。
【０００６】
また、端末が通常オープン状態にあるときに表示筐体を操作筐体に対して僅かに回転させたり、あるいは端末が逆クローズ状態にあるときに両筐体を僅かにオープンさせる構造の携帯通信端末も知られている（例えば、特許文献２参照）。
【０００７】
この特許文献２の内容を図１７に示す。この図１７に示すように、この特許文献２で開示される携帯電話２０１では、第１の筐体２０２と第２の筐体２０３とがヒンジ２０９を介して開閉可能に連結され、ヒンジ２０９が、互いに直交する第１の回転軸２１０、第２の回転軸２１１で構成されている。第１の回転軸２１０は第２の回転軸２１１に対して、表示パネル２０５ａの平面と平行な軸周りに回転可能となっている。
第１の筐体２０２と第２の筐体２０３との相対的な開閉は、マグネット２２１とホール素子２２３からなる開閉検出センサーで検出され、回転はマグネット２２２とホール素子２２４からなる回転・非回転センサーで検出されるようになっている。
開閉検出センサーのマグネット２２１と、回転検出センサーのホール素子２２４とは第１の筐体２０２に設けられ、回転検出センサーのマグネット２２２はヒンジ２０９を構成する回転軸２１０に設けられ、回転検出センサーのホール素子２２４は第１の筐体２０２に設けられている。
なお、前記図１７における各部品の符号は、従来例の図の符号に説明の便宜上、２００番台の数字を付してあるだけであり、内容はまったく同じものである。
【０００８】
【特許文献１】特開２００５−１９８０６２号公報。
【０００９】
【特許文献２】特開２００５−３０３６８８号公報。
【発明の開示】
【発明が解決しようとする課題】
【００１０】
特許文献１で開示される携帯電話１００では、第１のヒンジユニット１２１が、第１、第２の回転軸１０４，１０５とで構成され、第２のヒンジユニット１２２は、一端が第２の回転軸１０５と連結する第３の回転軸１０６を含み構成され、各ヒンジユニット１２１，１２２の内部において、各回転軸１０４，１０５，１０６のそれぞれに複数の磁石１３０，１３２等が設けられ、その近傍に各回転検出手段１３１，１３２，１３５が設けられている。
そのため、ヒンジユニット１０２の構造が複雑となり、また、回転軸１０４等にそれぞれ複数個の磁石１３０等を設けると共に、回転検出手段１３１等を設けなくてはならず、回転検出手段１３１等の回路構成も複雑となる。さらに、３個の回転軸１０４，１０５，１０６等や回転検出手段１３１等の設置スペースも多く必要となり、小型化の傾向にある携帯電話装置において小型化が困難な構成となっている。
【００１１】
又、特許文献２で開示される携帯電話２０１は、回転検出センサーを構成するマグネット２２２が、ヒンジ２０９を構成する第２の回転軸２１１の内部に設けられている。携帯通信端末は小型化の傾向にあるため、各部品も小さくする必要に迫られており、回転軸も可能な限り径の小さなものを用いることになる。
その結果、小さな径の回転軸２１１の内部にマグネット２２２を、正確な位置に設けなくてはならず、取り付けが困難な位置への取り付け作業となり、取り付け作業が困難であり生産性および保守性が悪いという不都合がある。
また、回転検出センサーを構成するマグネット２２２とホール素子２２４とでは、そのマグネット２２２とホール素子２２４との接近・離間を検出することにより第１の筐体２０２と第２の筐体２０３との回転検出を行なっているので、表示パネル２０５と操作パネル２０６とを互いに外側に向けた状態で表示パネル２０５を操作パネル２０６に対して９０度回転させたときの検出はできないという課題がある。
【００１２】
本発明は、前記各課題を解決するために提案されたもので、複雑な回転検出回路を用いることなく、少なくとも二個の磁気検出手段と少ない磁石とで携帯電子機器の筐体の状態が開状態，折り畳んだ閉状態，表示部を外側に向けて閉じた表示背面の閉状態、表示背面の閉状態で９０度回転させた９０度状態，の４種の状態のいずれかであることを検出可能な携帯電子機器を提供することを、その目的とする。
【課題を解決するための手段】
【００１３】
上述した目的を達成するため、本発明にかかる携帯電子機器では、表示部を有する第１の筐体と、この第１の筐体と対をなすと共に操作部を有する第２の筐体を備えている。この携帯電子機器は、前述した第１の筐体と第２の筐体とをその端部で開閉可能に連結すると共に当該連結部で前記第１の筐体を当該筐体の表示部に垂直な軸周り及び表示部に平行な軸周りに回転可能とするユニバーサルヒンジ部を備えている。又、この携帯電子機器は、前記第１の筐体又は第２の筐体のいずれか一方の平面部に装着した第１磁石及び第２磁石と、この各磁石に対応して前記第１の筐体又は第２の筐体のいずれか一方の平面部に装着した磁気検出用の第１の磁気検出手段および第２の磁気検出手段とを備えている。
更に、この携帯電子機器は、前述した第１の磁気検出手段の検出情報から前記第１の筐体と第２の筐体との開閉状態を判別すると共に前記第２の磁気検出手段の検出情報から前記第１の筐体の回転状態を判別する状態判別手段を備えていることを特徴とする（請求項１）。
【００１４】
このため、この発明によれば、ユニバーサルヒンジ部により第１の筐体と第２の筐体とがその連結端部を回動支点として開閉されると共に、第１の筐体がその表示部に垂直な軸周り、及び表示部に平行な軸周りに回転される。そして、これらの開閉状態、および回転状態が状態判別手段により判別される。
状態判別手段は、第１の磁気検出手段の検出情報、及び第２の磁気検出手段の検出情報に基づいてそれぞれ、第１の筐体と第２の筐体との開閉状態、回転状態を判別することができるので、複雑な回転検出回路を用いずに、２個の磁気検出手段と少ない磁石とを用いて、携帯電子機器の筐体の状態が開状態、表示部を外側に向けて閉じた閉状態、表示背面の閉状態、表示背面の閉状態で９０度回転させた９０度状態の、４種の状態のいずれかであることを検出することができる。
【００１５】
ここで、前述した第１磁石と第１の磁気検出手段とが、又前記第２磁石と第２の磁気検出手段とが、それぞれ前記第１の筐体と第２の筐体を相対的に折り畳んだとき、それぞれの磁石と磁気検出手段とが重なり合うような位置に配置し装着する構成としてもよい（請求項２）。
【００１６】
このようにすると、第１の筐体と第２の筐体とを折り畳んだ閉状態をより確実に検出できるとともに、磁石と磁気検出手段とが重なり合うように配置されているので、互いの位置を所定の位置に設置することで、表示背面の閉状態で９０度回転させた９０度の状態を検出できるようになる。
【００１７】
又、前述した第１磁石と第１の磁気検出手段とを、それぞれ前記第１の筐体と第２の筐体の各幅方向の中央部に装着し、前記第２磁石と第２の磁気検出手段とを、それぞれ前記第１の筐体と第２の筐体の前記ユニバーサルヒンジ部寄りで且つ当該ユニバーサルヒンジ部の一方の側の近接して装着した構成としてもよい（請求項３）。
【００１８】
このようにすると、第１磁石と第１の磁気検出手段とを、第１の筐体と第２の筐体とのそれぞれの幅方向の中央部分に設ければよいので、取り付け位置の確認が容易となり、取り付け作業が容易である。
また、第２磁石と第２の磁気検出手段とが第１の筐体と第２の筐体とのそれぞれユニバーサルヒンジ部寄り、且つユニバーサルヒンジ部の一方の側の近傍に設けられているので、第１の筐体の表示部を外側に向けた表示背面閉状態で９０度回転させるとき、第２磁石と第２の磁気検出手段とが重なり合った状態から、僅かに回転させるだけで表示背面の閉状態で９０度回転させた９０度状態を得ることができる。
【００１９】
更に、本発明にかかる携帯電子機器では、前述したように表示部を有する第１の筐体と、この第１の筐体と対をなすと共に操作部を有する第２の筐体を備えている。そして、この携帯電子機器は、前述した第１の筐体と第２の筐体とを開閉可能に結合すると共に、前記第１の筐体を当該筐体の表示部に垂直な軸周り及び表示部に平行な軸周りに回転可能とするユニバーサルヒンジ部を備えている。更にこの携帯電子機器は、前述した第１の筐体及び第２の筐体のいずれか一方の平面部に装着させた第１磁石，第２磁石，及び第３磁石と、前記第１の筐体及び第２の筐体のいずれか一方の平面部に装着して前記第１磁石または第２磁石のいずれかの磁気を検出する第１の磁気検出手段と、前記第１の筐体及び第２の筐体のいずれか一方の平面部に装着して前記第３磁石の磁気を検出する第２の磁気検出手段と、前記第１の磁気検出手段の検出結果から前記第１の筐体，及び第２の筐体の開閉状態を判別すると共に、前記第２の磁気検出手段の検出結果から前記第１の筐体の回転状態を判別する状態判別手段を備えたことを特徴とする（請求項４）。
【００２０】
このため、本発明によれば、ユニバーサルヒンジ部により第１の筐体と第２の筐体とが開閉されると共に、第１の筐体がその表示部に垂直な軸周り、及び表示部に平行な軸周りに回転される。そして、これらの開閉状態、および回転状態が状態判別手段により判別される。
上述した状態判別手段は、第１の磁気検出手段の検出情報、及び第２の磁気検出手段の検出情報に基づいて、それぞれ、第１の筐体と第２の筐体との開閉状態、回転状態を判別することができるので、複雑な回転検出回路を用いずに、２個の磁気検出手段と少ない磁石とを用いて、携帯電子機器の筐体の状態が開状態、表示部を外側に向けて閉じた閉状態、表示背面の閉状態、表示背面の閉状態で９０度回転させた９０度状態の、４種の状態のいずれかであることを検出することができる。
【００２１】
ここで、前述した第１磁石及び第２磁石のいずれか一方と前記第１の磁気検出手段、及び前記第３磁石と前記第２の磁気検出手段とを、前記第１の筐体と第２の筐体とを相対的に折り畳んだとき、それぞれの磁石と磁気検出手段とが重なり合うような位置に配置して装着する構成としてもよい（請求項５）。
【００２２】
このようにすると、第１の筐体と第２の筐体とを折り畳んだ閉状態をより確実に検出できるとともに、磁石と磁気検出手段とが重なり合うように配置されているので、互いの位置を所定の位置に設置することで、表示背面の閉状態で９０度回転させた９０度の状態を検出できるようになる。
【００２３】
又、前述した前記第１磁石と第２磁石との内の一方をＳ極とし他方をＮ極とすると共に、当該第１磁石と第２磁石とを第１の筐体の幅方向に沿った直線上に所定間隔離して配置し、前記第１の磁気検出手段を前記第１磁石と第２磁石とのいずれか一つに対応させた構成としてもよい（請求項６）。
【００２４】
このようにすると、例えば、第１磁石をＮ極にし第２磁石をＳ極にした場合、第１の筐体と第２の筐体とを折り畳んだ閉状態で、第１ホールＩＣは、第１磁石のＮ極を検出すると共に、その表示背面の閉状態では第２磁石のＮ極を検出する。その結果、第１ホールＩＣの磁石の検出極がＮ極のみとなるので、第１ホールＩＣとして片極検出用のものを使用でき、これにより効果的に原価低減を図ることができる。
【００２５】
更に、前述した状態判別手段を、前記第１の磁気検出手段及び第２の磁気検出手段で検出すると共に当該検出された信号を入力するＣＰＵで構成する。そして、このＣＰＵが、前記第１の磁気検出手段及び第２の磁気検出手段から所定の検出信号が入力された場合に機能し、この入力された検出信号が予め作成された前記第１の磁気検出手段及び第２の磁気検出手段からの出力信号とこれらの出力信号に対応する状態の組み合わせ情報の内のいずれに該当するかを判別する判別機能を備えた構成としてもよい（請求項７）。
【００２６】
このように、本発明によれば、第１の筐体と第２の筐体の状態とこれに対応する第１の磁気検出手段及び第２の磁気検出手段から出力される信号の組み合わせが、予め対応して記憶されているので、状態判別手段では、受信した信号から、その各筐体の状態を容易に判別することができる。
【発明の効果】
【００２７】
以上にように本発明によれば、第１の筐体と第２の筐体とが各端部で開閉自在に連結され、又当該端部で第１の筐体がその表示部に垂直な軸周りに及び表示部に平行な軸周りにそれぞれ回転され、更にこれらの開閉状態および回転状態が状態判別手段により判別される構成としたので、複雑な回転検出回路を用いずに、２個の磁気検出手段と少ない磁石とを用いて、携帯電子機器の筐体の状態が開状態、表示部を外側に向けて閉じた閉状態、表示背面の閉状態、表示背面の閉状態で９０度回転させた９０度状態の、４種の状態のいずれかであることを、少ない構成手段にてリアルタイムで迅速に且つ確実に検出することができるという従来にない優れた携帯電子機器を提供することができる。
【発明を実施するための最良の形態】
【００２８】
以下、本発明に係る携帯電子機器１０の実施形態を図面に基づいて説明する。
図１乃至図２において、本実施形態における携帯電子機器１０は、第１の筐体である表示筐体１１と、この表示筐体１１と対をなす第２の筐体である情報入力側の操作筐体２１とを備えて構成されている。
【００２９】
表示筐体１１は、薄型の箱体（ケーシング）状に形成され、一方の主面（つまり前面）上に、メインディスプレイを有する表示部である表示面１１Ａが設けられている。また、一方の主面の反対面である他方の主面（つまり背面）上には、メインディスプレイよりも表示画面が小さなサブディスプレイ（図示略）が設けられている。
【００３０】
操作筐体２１は、表示筐体１１とほぼ同一の形状に形成され、一方の主面（つまり前面）上に、情報入力用の各種操作キーを有する操作パネル２１Ａが設けられている。また、この一方の主面の反対面である他方の主面（つまり背面）上には、撮像素子からなるデジタルカメラ等が設けられ、操作筐体２１の側面にはデジタルカメラでの撮影時にシャッター操作を行なうためのサイドキー（図略）が設けられている。
【００３１】
又、図２に示すように、上述した表示筐体１１と操作筐体２１とは、その各端部でユニバーサルヒンジ３０により、矢印Ａ方向に開閉可能（つまり折り畳み可能）に連結されている。また、表示筐体１１は、ユニバーサルヒンジ３０により表示筐体１１の表示面１１Ａに垂直な軸Ｂ周り、及び表示面１１Ａに平行な軸Ｃ周りに回転可能となっている。
【００３２】
以上のような連結部と回転部とを兼用するユニバーサルヒンジ３０により、表示筐体１１と操作筐体２１とは、図３（Ａ）に示すように両者１１，２１を開いた開状態、図３（Ｂ）に示すように、表示面１１Ａと操作パネル２１Ａとを互いに内側に向けて折り畳んで収納した閉状態、図３（Ｃ）に示すように表示面１１Ａと操作パネル２１Ａとを互いに反対方向に向けて両者１１Ａ，２１Ａを展開させた表示背面閉状態、図３（Ｄ）に示すように表示面１１Ａと操作パネル２１Ａとを表示背面閉状態で９０度回転させた９０度状態、の４つの状態とすることができるようになっている。
【００３３】
前述した図３（Ａ）〜図３（Ｄ）の状態は、それぞれ磁石と当該磁石の磁気を検出する磁気検出手段とにより検出され、識別されるようになっている。
即ち、図１に示すように、表示筐体１１には第１磁石１２及び第２磁石１３の２個の磁石が設けられ、操作筐体２１には第１の磁気検出手段である第１ホールＩＣ２２と第２の磁気検出手段である第２ホールＩＣ２３とが設けられている。
【００３４】
第１磁石１２は、表示筐体１１の幅方向の略中央部、且つ表示面１１Ａを挟んでユニバーサルヒンジ３０の反対側の端部に配置され、表示筐体１１の内部の、図示しない例えば基板に取り付けられている。
【００３５】
第２磁石１３は、表示筐体１１の幅方向一方側端部（図１において左側）で且つ表示面１１Ａとユニバーサルヒンジ３０との間に配置され、表示筐体１１の内部の図示しない例えば基板に取り付けられている。これにより、第１磁石１２及び第２磁石１３は、表示筐体１１の平面部に設けられていることになる。
なお、第２磁石１３については、上記とは反対側、つまり図１において右側に配置してもよい。
【００３６】
前記第１磁石１２及び第２磁石１３は、例えば薄型の直方体形状の磁石片で形成され、主面に垂直な方向に磁界を形成するものが用いられている。
すなわち、各磁石１２，１３における一方の主面，例えば前記基板との当接面が、磁極のＮ極、他方の主面、つまり突出上端面がＳ極となっており、各磁石１２，１３を貫く磁力線は、両主面に垂直となっている。
【００３７】
これに対して、第１ホールＩＣ２２は、操作筐体２１の幅方向の中央部で且つユニバーサルヒンジ３０を挟んで前記第１磁石１２の反対側の対称位置に配置され、操作筐体２１の内部の図示しない例えば基板に取り付けられている。
そのため、第１ホールＩＣ２２は、表示筐体１１を折り畳んだとき、当該表示筐体１１に設けられた前記第１磁石１２と、表示筐体１１及び操作筐体２１の平面方向に重なり合い、これによって上記第１ホールＩＣ２２と第１磁石１２とが対応できるようになっている。
【００３８】
第２ホールＩＣ２３は、操作筐体２１の操作パネル２１Ａとユニバーサルヒンジ３０
との間において幅方向の一方の側の端部で且つユニバーサルヒンジ３０を挟んで前記表示筐体１１の第２磁石１３の反対側の対称位置に配置され、操作筐体２１の内部の図示しない例えば基板に取り付けられている。
以上のように、第１ホールＩＣ２２及び第２ホールＩＣ２３は、操作筐体２１の平面部に設けられていることになる。
【００３９】
前記第１、第２ホールＩＣ２２，２３は、例えば、ホール素子、オペレーションアンプ、及びコンパレータからなる３端子型のＩＣチップが用いられ、磁束密度が低い場合に、電圧レベルがＨigh レベル（ハイレベル）となる検出信号が生成され、磁束密度が高い場合に、電圧レベルがＬowレベル（ローレベル）となる検出信号が生成される。
【００４０】
以上のような第１磁石１２の磁気を第１ホールＩＣ２２により検出することにより、表示筐体１１と操作筐体２１との開閉動作が検出され、第２磁石１３の磁気を第２ホールＩＣ２３により検出することにより、操作筐体２１に対する表示筐体１１の回転動作が検出されるようになっている。
【００４１】
即ち、図３（Ａ）の開状態では、その状態を拡大した図１に示すように、第１磁石１２及び第２磁石１３と、第１ホールＩＣ２２及び第２ホールＩＣ２３とが、ユニバーサルヒンジ３０を挟んで、それぞれ反対方向に位置しているので、各ホールＩＣ２２，２３で各磁石１２，１３の磁気を検出することはできず、検出範囲外である。
このような状態では、第１ホールＩＣ２２がハイレベル４１の検出信号を出力し、第２ホールＩＣ２３がハイレベル４３の検出信号を出力するように設定されている。
【００４２】
前記開状態では、オフフックキーによる発信操作や、着信時における応答操作、デジタルカメラによる撮影操作、電子メールの編集操作、受信した電子メールの閲覧操作、電子電話帳の検索操作、インターネット接続時におけるウェブサイトの閲覧操作等が行なわれる。また、発信時や着信時には、入力した発信電話番号や発信元番号等がメインディスプレイに表示される。更に、撮影時には撮影した画像がメインディスプレイにファインダーとして表示されるようになっている。
【００４３】
図３（Ｂ）の閉状態では、その状態を拡大した図４に示すように、第１磁石１２と第１ホールＩＣ２２とが、又第２磁石１３と第２ホールＩＣ２３とが、それぞれ表示筐体１１及び操作筐体２１の平面方向に重なった状態である。そのため、第１，第２の各磁石１２，１３は、第１，第２の各ホールＩＣ２２，２３による磁気検出範囲内である。
このような状態では、第１ホールＩＣ２２がローレベル４２の検出信号を出力し、第２ホールＩＣ２３がローレベル４４の検出信号を出力するように設定されている。
【００４４】
そして、前述した開状態から操作筐体２１に対して表示筐体１１をユニバーサルヒンジ３０の前記軸Ｃ周りに１８０度回転させて表示面１１Ａを外側に向けて閉じると、図３（Ｃ）に示すように、表示背面閉状態となる。
この表示背面閉状態では、その状態を拡大した図５に示すように、第１磁石１２と第１ホールＩＣ２２とが、表示筐体１１及び操作筐体２１の平面方向に重なった状態であり、第１磁石１２の磁気は、第１ホールＩＣ２２による磁気検出範囲内である。
このような状態では、第１ホールＩＣ２２はローレベル４２の検出信号を出力するように設定されている。
【００４５】
これに対して、第２磁石１３と第２ホールＩＣ２３とは、表示筐体１１と操作筐体２１とが重なった状態であるが、両者１３，２３は、表示筐体１１等の幅方向に所定寸法離れている。このため、第２磁石１３は第２ホールＩＣ２３による磁気検出範囲外である。
このような状態では、第２ホールＩＣ２３はハイレベル４３の検出信号を出力するように設定されている。
【００４６】
表示背面閉状態では、サイドキーによる発信操作や、着信時における応答操作、通話、撮影操作、メール受信時における閲覧操作、ウェブサイトからダウンロードした情報の閲覧操作等が行なわれる。この表示背面閉状態における画面表示及びレシーバーによる音声出力の切り替えは、前記各状態の識別結果に基づいて行なわれる。
【００４７】
更に、前述した表示背面閉状態から表示筐体１１を前記軸Ｂ周りに９０度回転させると、図３（Ｄ）に示すよううに、９０度状態となる。
この９０度状態では、その状態を拡大した図６に示すように、表示筐体１１と操作筐体２１とが一部重なった状態であるが、第１磁石１２と第１ホールＩＣ２２とは、９０度方向に所定寸法離れているため、第１磁石１２は第１ホールＩＣ２２による磁気検出範囲外である。
このような状態では、第１ホールＩＣ２２は、図３（Ａ）の場合と同じように、ハイレベル４１の検出信号を出力することになる。
【００４８】
これに対して、第２磁石１３と第２ホールＩＣ２３とは、表示筐体１１と操作筐体２１とが一部平面方向に重なった状態であり、第２ホールＩＣ２３による第２磁石１３の磁気検出範囲内である。
このような状態では、第２ホールＩＣ２３はローレベル４４の検出信号を出力するように設定されている。
【００４９】
前述のように、表示筐体１１と操作筐体２１とは、開状態等、４つの状態を維持することができるようになっており、それぞれの状態において、第１ホールＩＣ２２と第２ホールＩＣ２３とは、第１磁石１２と第２磁石１３との異なる主面、つまり異なる磁極を検出することになる。
【００５０】
例えば、図４に示すような、表示筐体１１と操作筐体２１との閉状態では、第１ホールＩＣ２２及び第２ホールＩＣ２３は、第１磁石１２と第２磁石１３との、それぞれのＳ極と対向しているため、そのＳ極を検出する。
【００５１】
これに対して、図５に示すような、表示筐体１１と操作筐体２１との表示面閉状態では、表示筐体１１の背面が操作筐体２１の操作面２１Ａと対向しているため、第１ホールＩＣ２２は第１磁石１２のＮ極と対向することになり、そのＮ極を検出することになる。
【００５２】
また、図６に示すような、表示筐体１１と操作筐体２１との９０度状態では、表示筐体１１の裏面が操作筐体２１の操作面２１Ａと対向している。このため、第２ホールＩＣ２３は、第２磁石１３のＮ極と対向することになり、そのＮ極を検出することになる。
以上のように、本第１実施形態の第１ホールＩＣ２２及び第２ホールＩＣ２３は、磁石のＳ極とＮ極との両極を検出できるタイプのものが使用されている。
【００５３】
以上のような第１ホールＩＣ２２及び第２ホールＩＣ２３からの出力は、図７に示すように、状態判別手段であるＣＰＵ３５に入力される。
このＣＰＵ３５では、図８に示すような第１ホールＩＣ２２と第２ホールＩＣ２３とから出力された検出信号の組み合わせにより、図３（Ａ）〜（Ｄ）に示す各状態を認識するようになっている。また、ＣＰＵ３５は、例えば操作筐体２１の内部に収容され、装着されている。そして、このような検出信号と前記４つの状態との組み合わせは予め設定されている。
【００５４】
例えば、ＣＰＵ３５に、第１ホールＩＣ２２からハイレベル４１の検出信号、第２ホールＩＣ２３からハイレベル４３の検出信号がそれぞれ入力されたとき、ＣＰＵ３５では、図８の組み合わせの中から、開状態を認識できるようになっている。つまり、図３（Ａ）及び図１に示す状態である。
【００５５】
又、ＣＰＵ３５に、第１ホールＩＣ２２からローレベル４２の検出信号、第２ホールＩＣ２３からローレベル４４の検出信号がそれぞれ入力されたとき、ＣＰＵ３５では、図８の組み合わせの中から、閉状態を認識できるようになっている。つまり、図３（Ｂ）及び図４に示す状態である。
【００５６】
更に、ＣＰＵ３５に、第１ホールＩＣ２２からローレベル４２の検出信号、第２ホールＩＣ２３からハイレベル４３の検出信号がそれぞれ入力されたとき、ＣＰＵ３５では、図８の組み合わせの中から、表示背面閉状態を認識できるようになっている。つまり、図３（Ｃ）及び図５に示す状態である。
【００５７】
更に又、ＣＰＵ３５に、第１ホールＩＣ２２からハイレベル４１の検出信号、第２ホールＩＣ２３からローレベル４４の検出信号がそれぞれ入力されたとき、ＣＰＵ３５では、図８の組み合わせの中から９０度状態を認識できるようになっている。つまり、図３（Ｄ）及び図６に示す状態である。
以上のように、ＣＰＵ３５により、各状態が識別され、これにより、各状態に応じて適切に動作制御が行なわれることになる。
【００５８】
次に、以上に説明したような本実施形態の携帯電子機器１０の動作を説明する。
図１に示すように、表示筐体１１と操作筐体２１とを開状態にすると、ＣＰＵ３５は、第１ホールＩＣ２２からのハイレベル４１の検出信号と、第２ホールＩＣ２３からのハイレベル４３の検出信号とをそれぞれ受信する。そして、このＣＰＵ３５は、予め設定されている検出信号と各状態との組み合わせから、開状態であることの認識を行ない、且つ所定の処理を行なう。
【００５９】
図４に示すように、表示筐体１１と操作筐体２１とを閉状態としたときは、ＣＰＵ３５が、第１ホールＩＣ２２からのローレベル４２、第２ホールＩＣ２３からのローレベル４４の検出信号をそれぞれ受信する。そして、ＣＰＵ３５は、予め設定されている検出信号と各状態との組み合わせから、閉状態であることの認識を行ない、且つ所定の処理を行なう。
【００６０】
図５に示すように、表示筐体１１と操作筐体２１とを表示背面の閉状態としたときは、ＣＰＵ３５が、第１ホールＩＣ２２からのローレベル４２、第２ホールＩＣ２３からのハイレベル４３の検出信号をそれぞれ受信する。そして、ＣＰＵ３５は、予め設定されている検出信号と各状態との組み合わせから、表示背面の閉状態状態であることの認識を行ない、且つ所定の処理を行なう。
【００６１】
図６に示すように、表示筐体１１と操作筐体２１とを９０度状態としたときは、ＣＰＵ３５が、第１ホールＩＣ２２からのハイレベル４１の信号、第２ホールＩＣ２３からのローレベル４４の検出信号をそれぞれ受信する。そして、ＣＰＵ３５は、予め設定されている出力信号と各状態との組み合わせから、９０度状態であることの認識を行ない、且つ所定の処理を行なう。
【００６２】
上記第１の実施形態は以上のように構成され機能するので、以下の効果を奏する。
（１）．ユニバーサルヒンジ部３０により表示筐体１１と操作筐体２１とが開閉されると共に、表示筐体１１が軸Ｂ周り、及び軸Ｃ周りに回転され、これらの開閉状態、および回転状態がＣＰＵ３５により判別される。ＣＰＵ３５は、第１のホールＩＣ２２の検出結果、及び第２のホールＩＣ２３の検出信号から、それぞれ、表示筐体１１と操作筐体２１との開閉状態、回転状態を判別することができるので、複雑な回転検出回路を用いることなく、２個の磁気検出手段と２個の磁石とを用いて、携帯電子機器１０の状態が開状態、折り畳んだ閉状態、表示部を外側に向けて閉じた表示背面閉状態、表示背面閉状態で９０度回転させた９０度状態の、４種の状態のいずれかであることを検出することができる。
【００６３】
（２）．第１磁石１２と第１ホールＩＣ２２、及び第２磁石１３と第２ホールＩＣ２３とが、表示筐体１１と操作筐体２１とを折り畳んだとき、それぞれの磁石１２，１３とホールＩＣ２２，２３とが重なり合うような位置に配置されているので、閉状態をより確実に検出できるとともに、互いの位置を所定の位置に設置することで、表示背面の閉状態で９０度回転させた９０度の状態を検出できる。
【００６４】
（３）．第１磁石１２と第１ホールＩＣ２２とが、表示筐体１１と操作筐体２１とのそれぞれの幅方向略中央部に装着されているので、取り付け位置の確認が容易となり、取り付け作業が容易である。
【００６５】
（４）．第２磁石１３と第２ホールＩＣ２３とが、表示筐体１１と操作筐体２１とのそれぞれユニバーサルヒンジ部３０寄り、且つユニバーサルヒンジ部３０の一方側近傍に設けられているので、表示筐体１１の表示面１１Ａを外側に向けた表示背面閉状態で９０度回転させるとき、第２磁石１３と第２ホールＩＣ２３とが重なり合った状態から、僅かに回転させるだけで９０度状態を得ることができるので、操作が容易となる。
【００６６】
（５）．第１、第２磁石１２，１３、及び第１、第２ホールＩＣ２２，２３が、それぞれ表示筐体１１、操作筐体２１の平面部に設けられているので、取り付け作業が容易となる。
【００６７】
（６）．表示筐体１１と操作筐体２１との、前記４つの状態と、第１、第２ホールＩＣ２２，２３から出力される検出信号の組み合わせが予め設定されているので、ＣＰＵ３５では、受信した信号の組み合わせから、４つの状態のうち、いずれであるかを容易に判別することができる。
【００６８】
次に、本発明の第２実施形態を図９〜１４に基づいて説明する。
ここで、前述した第１実施形態の携帯電子機器１０の場合と同一の構成部材については同一の符号を用いるものとする。
この図９〜１４に示す携帯電子機器５０は、第１の筐体である表示筐体５１に３個の磁石を設けた点が前述した第１実施形態と異なる。その他の構成は前述した第１実施形態とほぼ同一となっている。
このように構成したことで、磁石を表示筐体１１の幅方向中央部に取り付けられない場合や、一つのホールＩＣを両極検出用とすると不具合が生じる場合には、効果的に用いることができる。
【００６９】
図９に示すように、携帯電子機器５０は、前記表示筐体５１と、第２の筐体である操作筐体５２とを備えて構成されている。表示筐体５１には、第１磁石５２、第２磁石５３及び第３磁石５４の３個の磁石が設けられている。
【００７０】
第１磁石５２及び第２磁石５３は、表示筐体５１のユニバーサルヒンジ３０とは反対側端部で且つ表示面５１Ａの外側に設けられ、表示筐体５１の幅方向に沿った直線上に所定間隔離して設けられている。そして、第１磁石５２及び第２磁石５３のユニバーサルヒンジ３０からの離間距離は、前述した第１実施形態における第１磁石１２の場合とほぼ同じである。
第３磁石５４は、前述した第１実施形態における第２磁石１３とほぼ同じ位置に設けられ、この第３磁石５４と第２磁石５３とは、表示筐体５１の長手方向に沿ったほぼ同一直線上に配置されている。
【００７１】
ここで、第１磁石５２及び第２磁石５３の極性は、第１磁石５２の突出上端面がＮ極、第２磁石５３の突出上端面がＳ極となるように設定されている。
【００７２】
これに対して、操作筐体６１には、第１の磁気検出手段としての第１ホールＩＣ６２、及び第２の磁気検出手段としての第２ホールＩＣ６３の二個のホールＩＣが設けられている。
第１ホールＩＣ６２は、操作筐体６１の幅方向中央部から一方側端部寄りにずらした位置に設けられ、表示筐体５１の第１磁石５２と対応するようになっている。
第２ホールＩＣ６３は、前述した第１実施形態の第２ホールＩＣ２３とほぼ同じ位置に配置され、表示筐体５１の第３磁石５４と対応するようになっている。
なお、各磁石５２，５３，５４及び第１，２ホールＩＣ６２，６３を、上記と勝手違いに配置してもよい。
【００７３】
以上のように、第１ホールＩＣ６２により第１磁石５２の磁気を検出することにより、表示筐体５１と操作筐体６１との開閉動作が検出され、第２ホールＩＣ６３により第３磁石５４の磁気を検出することにより、操作筐体６１に対する表示筐体５１の回転動作が検出されるようになっている。
【００７４】
即ち、図９に示す開状態では、第１磁石５２，第２磁石５３，及び第３磁石５４と、第１ホールＩＣ６２，及び第２ホールＩＣ６３とが、ユニバーサルヒンジ３０を挟んでそれぞれ反対方向に位置しており、各ホールＩＣ４２，４３で各磁石１２，１３，１４を検出することはできず、検出範囲外である。
このような状態では、第１ホールＩＣ６２はハイレベル４５の検出信号を出力し、第２ホールＩＣ６３はハイレベル４３の信号を出力するように設定されている。
【００７５】
図１０の閉状態では、第１磁石５２と第１ホールＩＣ６２、及び第３磁石５４と第２ホールＩＣ６３とが、表示筐体５１及び操作筐体６１の平面方向に重なった状態であり、各ホールＩＣ６２，６３による第１磁石５２及び第３磁石５４の磁気検出範囲内である。
このような状態では、第１ホールＩＣ６２はローレベル４６の検出信号を出力し、第２ホールＩＣ６３はローレベル４４の検出信号を出力するように設定されている。
【００７６】
図１１の表示背面閉状態では、第２磁石５３と第１ホールＩＣ６２とは、表示筐体５１及び操作筐体６１の平面方向に重なった状態なので、第１ホールＩＣ６２による第２磁石５３の磁気検出範囲内である。
このような状態では、第１ホールＩＣ６２はローレベル４６の検出信号を出力するように設定されている。
【００７７】
これに対して、第１磁石５２及び第３磁石５４と第２ホールＩＣ６３とは、表示筐体５１と操作筐体６１とが一部重なった状態であるが、各磁石５２，５４は、第２ホールＩＣ６３から離れている。このため、第２ホールＩＣ６３による第１磁石５２及び第３磁石５４の磁気を検出することはできず、磁気検出範囲外である。
このような状態では、第２ホールＩＣ６３はハイレベル４３の検出信号を出力するように設定されている。
【００７８】
図１２の９０度状態では、表示筐体５１と操作筐体６１とが一部平面方向に重なった状態であるが、第１磁石５２及び第２磁石５３と第１ホールＩＣ６２とは、９０度方向に所定寸法離れている。このため、第１ホールＩＣ６２による第１磁石５２及び第２磁石５３の磁気を検出することはできず、磁気検出範囲外である。
このような状態では、第１ホールＩＣ６２のホールＩＣは、ハイレベル４５の検出信号を出力するように設定されている。
【００７９】
これに対して、第３磁石５４と第２ホールＩＣ６３とは、表示筐体５１と操作筐体６１とが一部平面方向に重なった状態であり、第２ホールＩＣ６３による第３磁石５４の磁気を検出することができ、磁気検出範囲内である。
このような状態では、第２ホールＩＣ６３はローレベル４４の信号を出力するように設定されている。
【００８０】
以上のような第１ホールＩＣ６２及び第２ホールＩＣ６３からの検出信号の出力は、図１３に示すように、判別手段であるＣＰＵ６５に入力される。
そして、このＣＰＵ６５では、図１４に示すような第１ホールＩＣ６２と第２ホールＩＣ６３との検出信号の組み合わせにより、図９〜図１２に示す４つの状態を認識するようになっている。
【００８１】
例えば、ＣＰＵ６５に、第１ホールＩＣ６２からハイレベル４３の検出信号、第２ホールＩＣ６３からハイレベル４５の検出信号がそれぞれ入力されたとき、ＣＰＵ６５では、図１４の組み合わせの中から、開状態を認識する。つまり、図９に示す状態である。
【００８２】
ＣＰＵ６５に、第１ホールＩＣ６２からローレベル４４の検出信号、第２ホールＩＣ６３  からローレベル４６の検出信号がそれぞれ入力されたとき、ＣＰＵ６５では、図１４の組み合わせの中から、閉状態を認識する。つまり、図１０に示す状態である。
【００８３】
ＣＰＵ６５に、第１ホールＩＣ６２からハイレベル４３の検出信号、第２ホールＩＣ６３からローレベル４６の検出信号がそれぞれ入力されたとき、ＣＰＵ６５では、図１４の組み合わせの中から、表示背面閉状態を認識する。つまり、図１１に示す状態である。
【００８４】
ＣＰＵ６５に、第１ホールＩＣ６２からＬｏレベル４４の検出信号、第２ホールＩＣ６３からハイレベル４５の検出信号がそれぞれ入力されたとき、ＣＰＵ６５では、図１４の組み合わせの中から、９０度状態を認識する。つまり、図１２に示す状態である。
そして、ＣＰＵ６５により、各状態が識別され、これにより、各状態に応じて適切に動作制御が行なわれることになる。
【００８５】
以上のように、第１磁石５２をＮ極、第２磁石５３をＳ極にしてあり、表示筐体５１と操作筐体６１とが４つの状態に変化するので、検出極も変化する。即ち、図１０に示す閉状態では、第１ホールＩＣ６２が、第１磁石５２のＮ極を検出する。これに対して、図１１に示す表示背面の閉状態では、第１ホールＩＣ６２が、第２磁石５３のＳ極の反対面となるＮ極と対向することになるので、そのＮ極を検出することになる。
その結果、第１ホールＩＣ６２の磁石の検出極がＮ極のみとなり、第１ホールＩＣ６２として片極検出用のものを使用できる。
【００８６】
次に、上記第２実施形態の動作を説明する。
図９に示すように、表示筐体５１と操作筐体６１とを開状態に設定すると、ＣＰＵ６５は、第１ホールＩＣ６２からのハイレベル４３の検出信号、第２ホールＩＣ６３からのハイレベル４５の検出信号を、それぞれ受信する。そして、ＣＰＵ６５は、予め設定されている検出信号と各状態との組み合わせから、開状態であることの認識を行ない、且つ所定の処理を行なう。
【００８７】
図１０に示すように、表示筐体５１と操作筐体６１とを閉状態としたときは、ＣＰＵ６５が、第１ホールＩＣ６２からのローレベル４２、第２ホールＩＣ６３からのローレベル４４の検出信号をそれぞれ受信する。そして、ＣＰＵ６５は、予め設定されている検出信号と各状態との組み合わせから、開状態であることの認識を行ない、且つ所定の処理を行なう。
【００８８】
図１１に示すように、表示筐体５１と操作筐体６１とを表示背面の閉状態としたときは、ＣＰＵ６５が、第１ホールＩＣ６２からのローレベル４２の検出信号、第２ホールＩＣ６３からのハイレベル４３の検出信号をそれぞれ受信する。そして、ＣＰＵ６５は、予め設定されている検出信号と各状態との組み合わせから、開状態であることの認識を行ない、且つ所定の処理を行なう。
【００８９】
図１２に示すように、表示筐体５１と操作筐体６１とを９０度状態としたときは、ＣＰＵ６５が、第１ホールＩＣ６２からのハイレベル４１の信号、第２ホールＩＣ６３からのローレベル４４の信号をそれぞれ受信する。そして、ＣＰＵ６５は、予め設定されている出力信号と各状態との組み合わせから、開状態であることの認識を行ない、且つ所定の処理を行なう。
【００９０】
以上のような第２実施形態によれば、前述した第１実施形態の（２）〜（６）と略同様の効果を奏するほか、更に、次のような効果を得ることができる。
（７）．ユニバーサルヒンジ部３０により表示筐体５１と操作筐体６１とが開閉されると共に、表示筐体５１が軸Ｂ周り、及び軸Ｃ周りに回転され、これらの開閉状態、および回転状態がＣＰＵ６５により判別される。ＣＰＵ６５は、第１のホールＩＣ６２の検出結果、及び第２のホールＩＣ６３の検出結果から、それぞれ、表示筐体５１と操作筐体６１との開閉状態、回転状態を判別することができるので、複雑な回転検出回路を用いることなく、２個のホールＩＣ６２，６３と３個の磁石５２，５３，５４とを用いて、携帯電子機器５０の状態が開状態、折り畳んだ閉状態、表示部を外側に向けて閉じた表示背面閉状態、表示背面閉状態で９０度回転させた９０度状態の、４種の状態のいずれかであることを検出することができる。
【００９１】
（８）．第１磁石５２がＮ極、第２磁石５３がＳ極になっているので、閉状態では、第１ホールＩＣ６２が、第１磁石５２のＮ極を検出し、表示背面の閉状態では、第１ホールＩＣ６２が、第２磁石５３のＳ極の反対面となるＮ極と対向することになるので、そのＮ極を検出する。その結果、第１ホールＩＣ６２の磁石の検出極がＮ極のみとなり、第１ホールＩＣ６２として片極検出用のものを使用でき、両極検出用のホールＩＣを使用する場合と比べて、原価軽減を図ることができる。
【００９２】
なお、本発明は上述した各実施形態に限定されるものではなく、本発明の目的を達成できる範囲での変形、改良等は全て本発明に含まれるものである。
例えば、前記第１実施形態では、表示筐体１１に第１磁石１２，第２磁石１３を設け、操作筐体１２に第１ホールＩＣ２２，第２ホールＩＣ２３を設けたが、これに限らない。表示筐体１１に第１ホールＩＣ２２，第２ホールＩＣ２３を設け、操作筐体１２に第１磁石１２，第２磁石１３を設けてもよい。この場合、第２磁石１３及び第２ホールＩＣ２３を、表示筐体１１、操作筐体１２の幅方向の反対側対象位置に設けてもよい。
【００９３】
また、前記第２実施形態では、表示筐体５１に第１磁石５２、第２磁石５３、第３磁石５４を設け、操作筐体６２に第１ホールＩＣ６２、第２ホールＩＣ６３を設けたが、これに限らない。表示筐体５１に第１ホールＩＣ６２、第２ホールＩＣ６３を設け、操作筐体６２に第１磁石５２、第２磁石５３、第３磁石５４を設けてもよい。この場合、第１磁石５２、第２磁石５３、第３磁石５４、及び第１ホールＩＣ６２、第２ホールＩＣ６３の配置を、上記配置と勝手違いにしてもよい。
【産業上の利用可能性】
【００９４】
本発明は、携帯電話機および携帯用のゲーム機等に利用できる。
【図面の簡単な説明】
【００９５】
【図１】本発明の第１実施形態を示す開状態の場合の全体正面図である。
【図２】図１における第１実施形態の全体側面図である。
【図３】図１における第１実施形態の各可変設定状態を示す図で、同図（Ａ）は開状態、同図（Ｂ）は閉状態、同図（Ｃ）は背面閉状態、同図（Ｄ）は９０度状態を示す説明図である。
【図４】図１における第１実施形態の閉状態を示す正面図である。
【図５】図１における第１実施形態の背面閉状態を示す正面図である。
【図６】図５における携帯電子機器の表示筐体が９０度回動された状態を示す正面図である。
【図７】図１における第１実施形態の状態判別手段を示すブロック図である。
【図８】図１における第１実施形態の検出信号と状態との組み合わせを示す図表である。
【図９】本発明の第２実施形態を示す開状態の場合の全体正面である。
【図１０】図９に開示した第２実施形態の閉状態を示す正面図である。
【図１１】図９に開示した第２実施形態の背面閉状態を示す正面図である。
【図１２】図１１における実施携帯の背面閉状態の表示筐体部分を９０度回動させた場合の状態を示す正面図である。
【図１３】図９に開示した第２実施形態の状態判別手段を示すブロック図である。
【図１４】図９に開示した第２実施形態の検出信号と状態との組み合わせを示す図表である。
【図１５】従来の携帯電話機を示す全体斜視図である。
【図１６】図１５のＸ−Ｘ線に沿った断面図である。
【図１７】他の従来例を示す全体斜視図である。
【符号の説明】
【００９６】
１０，５０  携帯電子機器
１１，５１  第１の筐体としての表示筐体
１１Ａ，５１Ａ  表示部である表示面
１２，５２  第１磁石
１３，５３  第２磁石
２１  第２の筐体である操作筐体
２２，６２  第１の磁気検出手段としての第１ホールＩＣ
２３，６３  第２の磁気検出手段である第２ホールＩＣ
３５，６５  状態判別手段としてのＣＰＵ
５４  第３磁石
【図１】
2007208335.tif 000003
【図２】
2007208335.tif 000004
【図３】
2007208335.tif 000005
【図４】
2007208335.tif 000006
【図５】
2007208335.tif 000007
【図６】
2007208335.tif 000008
【図７】
2007208335.tif 000009
【図８】
2007208335.tif 000010
【図９】
2007208335.tif 000011
【図１０】
2007208335.tif 000012
【図１１】
2007208335.tif 000013
【図１２】
2007208335.tif 000014
【図１３】
2007208335.tif 000015
【図１４】
2007208335.tif 000016
【図１５】
2007208335.tif 000017
【図１６】
2007208335.tif 000018
【図１７】
2007208335.tif 000019
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
表示部を有する第１の筐体と、この第１の筐体と対をなすと共に操作部を有する第２の筐体と、この第１の筐体と第２の筐体とをその各端部で開閉可能に連結すると共に当該端部で前記第１の筐体を当該筐体の表示部に垂直な軸周り及び当該表示部に平行な軸周りにそれぞれ回転可能とするユニバーサルヒンジ部とを装備して成る携帯電子機器において、
前記第１の筐体又は第２の筐体のいずれか一方の平面部に装着した第１磁石及び第２磁石と、この各磁石に対応して前記第１の筐体又は第２の筐体のいずれか一方の平面部に装着した磁気検出用の第１の磁気検出手段および第２の磁気検出手段とを備え、
前記第１磁石と第１の磁気検出手段とを前記第１の筐体と第２の筐体とのそれぞれの幅方向の中央部に、前記第２磁石と第２の磁気検出手段とを前記第１の筐体上と第２の筐体上でそれぞれ前記ユニバーサルヒンジ部の一方の側の端部に近接して、それぞれ装着すると共に、
前記第１磁石と第１の磁気検出手段、および前記第２磁石と第２の磁気検出手段の前記各装着位置は、それぞれ前記第１の筐体と第２の筐体とを前記ユニバーサルヒンジ部を介して閉じる方向に折り畳んだ場合に、前記各磁石とこれに対応する磁気検出手段とがそれぞれが重なり合うような位置とし、
前記第１および第２の二つの各磁気検出手段からの検出情報に基づいて前記第１の筐体と第２の筐体との開閉状態および相対的な回転状態二態の合計四態を判別する状態判別手段を備えたことを特徴とする携帯電子機器。
【請求項２】
前記請求項１に記載の携帯電子機器において、
前記第１磁石と第１の磁気検出手段とを、相互に対応関係を維持しつつ前記第１の筐体と第２の筐体とのそれぞれの幅方向の中央部から一方の幅方向に向かってずれた位置に、配転して装着すると共に、
前記第１磁石と同一の筐体上で且つ前記第１の筐体の表示背面を前記第２の筐体に対して閉状態とした場合の前記第２の磁気検出手段に対向する位置に、第３磁石を配設したことを特徴とする携帯電子機器。
【請求項３】
前記請求項１又は２に記載の携帯電子機器において、
前記第１の磁気検出手段を、前記第１磁石との対応関係を維持しつつ前記第２の筐体の操作パネルの操作キー領域内に配設したことを特徴とする携帯電子機器。
【請求項４】
前記請求項１乃至３のいずれか一つに記載の携帯電子機器において、
前記状態判別手段を、前記第１の磁気検出手段及び第２の磁気検出手段で検出すると共に当該検出された信号を入力するＣＰＵで構成し、
このＣＰＵが、前記第１の磁気検出手段及び第２の磁気検出手段からの検出信号が入力された場合に、当該各検出信号が予め作成された各検出信号の状態組み合わせ情報の何れに該当するかを判別すると共に、前記第１の筐体と第２の筐体との開閉状態および相対的な回転状態二態の合計四態を判別する状態判別機能を備えていることを特徴とした携帯電子機器。
【手続補正２】
【補正対象書類名】明細書
【補正対象項目名】全文
【補正方法】変更
【補正の内容】
【発明の詳細な説明】
【技術分野】
【０００１】
本発明は、携帯電子機器に係り、さらに詳しくは、表示部を有する第１筐体と操作部を有する第２筐体との、開状態、閉状態、表示背面の閉状態、９０度状態の４種の状態を、回転角度検出回路などを用いることなく、少ない数の磁石とホールＩＣとで検出し得る折り畳み式の携帯電子機器に関する。
【背景技術】
【０００２】
近年、携帯情報端末、特に携帯電話機の普及が著しい。携帯電話機としては、ストレートタイプ、折り畳みタイプなどが用いられており、特に、折り畳みタイプの携帯電話機は、コンパクトに収納できることから広く用いられ、需要が拡大している。
ところで、現在の携帯電話機は、一段と多機能化が進み、通話に限らず、インターネット等のプラウザ、電子メール送受信端末、スケジュール管理等の機能を付加した携帯情報端末としても利用されるようになってきており、その表示内容は、多量の文字情報や画像等、多岐にわたっている。
また、カメラ撮影時やＴＶ機能付き携帯電話も開発され、そのＴＶ視聴時に横長表示で見る構成のものも多くなっている。
【０００３】
このため、単に折り畳み機能を有するものでは、多機能な携帯電話の要望に対応できない。そのため、２軸、３軸構造、あるいはヒンジ部に開閉機構と回転機構を併せ持つユニバーサルヒンジ機構を有する携帯電話も開発され、表示面を有する第１筐体を、開いた状態、閉じた状態の他、回転させた状態等、複数の状態のそれぞれを維持して使用できる構造の携帯電話も用いられている。そして、このような構造のものでは、制御部においてそれぞれの状態を検出し、且つ認識できるように構成されているものが多い。
【０００４】
例えば、上筐体を下筐体に対して、上筐体の長手方向の開閉機能、および短手方向の開閉機能を有し、且つ上筐体の表裏を反転した状態で折り畳む機能を有する折り畳み式携帯電話装置が知られている（例えば、特許文献１参照）。図１５にこれを示す。
【０００５】
図１５に示すように、この特許文献１で開示される携帯電話１００は、下筐体１０１に対してヒンジユニット１０２を介して上筐体１０３が開閉可能となっている。
ヒンジユニット１０２は、第１の回転軸１０４と第２の回転軸１０５とを備えた第１のヒンジユニット１２１と、第２の回転軸１０５と連結すると共に、第３の回転軸１０６を有する第２のヒンジユニット１２２とを備えて構成されている。
【０００６】
以上の各回転軸１０４，１０５，１０６の回転は、回転角度検出手段により検出されるようになっている。
ここで、図１６に、図１５のＸ−Ｘ線に沿った断面を示す。この図１６に示すように、第１の回転軸１０４におけるフランジ１０４ａの表面に複数個の磁石１３０が取り付けられ、これらの磁石１３０の接近を、プリント基板１１３に取り付けられた第１の回転検出手段１３１で検出して、第１のヒンジユニット１２１の回転角度を検出するようになっている。
【０００７】
上記と同じように、第２の回転軸１０５の端面に複数個の磁石１３２が取り付けられ、これらの磁石１３２の接近を、第２の回転軸１０５の近傍に取り付けられた第２の回転検出手段１３３で検出して、第２のヒンジユニット１２２の回転角度を検出するようになっている。
また、第３の回転軸１０６の端面にも複数個の磁石が取り付けられ、これらの磁石の接近を、第２のヒンジユニット１２２内において第３の回転軸１０６の近傍に取り付けられた第３の回転検出手段１３５で検出して、第３の回転軸１０６の回転角度を検出するようになっている。
【０００８】
尚、前記図１５〜図１６における各部品の符号は、従来例の図の符号に説明の便宜上、１００番台の数字を付してあるだけであり、内容はまったく同じものである。ただし、携帯電話１００の符号はそのままとする。
【０００９】
また、端末が通常オープン状態にあるときに表示筐体を操作筐体に対して僅かに回転させたり、あるいは端末が逆クローズ状態にあるときに両筐体を僅かにオープンさせる構造の携帯通信端末も知られている（例えば、特許文献２参照）。
【００１０】
この特許文献２の内容を図１７に示す。この図１７に示すように、この特許文献２で開示される携帯電話２０１では、第１の筐体２０２と第２の筐体２０３とがヒンジ２０９を介して開閉可能に連結され、ヒンジ２０９が、互いに直交する第１の回転軸２１０、第２の回転軸２１１で構成されている。第１の回転軸２１０は第２の回転軸２１１に対して、表示パネル２０５ａの平面と平行な軸周りに回転可能となっている。
【００１１】
第１の筐体２０２と第２の筐体２０３との相対的な開閉は、マグネット２２１とホール素子２２３からなる開閉検出センサーで検出され、回転はマグネット２２２とホール素子２２４からなる回転・非回転センサーで検出されるようになっている。
開閉検出センサーのマグネット２２１と、回転検出センサーのホール素子２２４とは第１の筐体２０２に設けられ、回転検出センサーのマグネット２２２はヒンジ２０９を構成する回転軸２１０に設けられ、回転検出センサーのホール素子２２４は第１の筐体２０２に設けられている。
なお、前記図１７における各部品の符号は、従来例の図の符号に説明の便宜上、２００番台の数字を付してあるだけであり、内容はまったく同じものである。
【特許文献１】特開２００５−１９８０６２号公報。
【特許文献２】特開２００５−３０３６８８号公報。
【発明の開示】
【発明が解決しようとする課題】
【００１２】
特許文献１で開示される携帯電話１００では、第１のヒンジユニット１２１が、第１、第２の回転軸１０４，１０５とで構成され、第２のヒンジユニット１２２は、一端が第２の回転軸１０５と連結する第３の回転軸１０６を含み構成され、各ヒンジユニット１２１，１２２の内部において、各回転軸１０４，１０５，１０６のそれぞれに複数の磁石１３０，１３２等が設けられ、その近傍に各回転検出手段１３１，１３２，１３５が設けられている。
【００１３】
そのため、ヒンジユニット１０２の構造が複雑となり、また、回転軸１０４等にそれぞれ複数個の磁石１３０等を設けると共に、回転検出手段１３１等を設けなくてはならず、回転検出手段１３１等の回路構成も複雑となる。さらに、３個の回転軸１０４，１０５，１０６等や回転検出手段１３１等の設置スペースも多く必要となり、小型化の傾向にある携帯電話装置において小型化が困難な構成となっている。
【００１４】
又、特許文献２で開示される携帯電話２０１は、回転検出センサーを構成するマグネット２２２が、ヒンジ２０９を構成する第２の回転軸２１１の内部に設けられている。携帯通信端末は小型化の傾向にあるため、各部品も小さくする必要に迫られており、回転軸も可能な限り径の小さなものを用いることになる。
その結果、小さな径の回転軸２１１の内部にマグネット２２２を、正確な位置に設けなくてはならず、取り付けが困難な位置への取り付け作業となり、取り付け作業が困難であり生産性および保守性が悪いという不都合がある。
【００１５】
また、回転検出センサーを構成するマグネット２２２とホール素子２２４とでは、そのマグネット２２２とホール素子２２４との接近・離間を検出することにより第１の筐体２０２と第２の筐体２０３との回転検出を行なっているので、表示パネル２０５と操作パネル２０６とを互いに外側に向けた状態で表示パネル２０５を操作パネル２０６に対して９０度回転させたときの検出はできないという課題がある。
【００１６】
本発明は、前記各課題を解決するために提案されたもので、複雑な回転検出回路を用いることなく、少なくとも二個の磁気検出手段と少ない磁石とで携帯電子機器の筐体の状態が開状態，折り畳んだ閉状態，表示部を外側に向けて閉じた表示背面の閉状態、表示背面の閉状態で９０度回転させた９０度状態，の４種の状態のいずれかであることを検出可能な携帯電子機器を提供することを、その目的とする。
【課題を解決するための手段】
【００１７】
上述した目的を達成するため、本発明にかかる携帯電子機器では、表示部を有する第１の筐体と、この第１の筐体と対をなすと共に操作部を有する第２の筐体と、この第１の筐体と第２の筐体とをその各端部で開閉可能に連結すると共に当該端部で前記第１の筐体を当該筐体の表示部に垂直な軸周り及び当該表示部に平行な軸周りにそれぞれ回転可能とするユニバーサルヒンジ部とを装備して成る携帯電子機器において、前記第１の筐体又は第２の筐体のいずれか一方の平面部に装着した第１磁石及び第２磁石と、この各磁石に対応して前記第１の筐体又は第２の筐体のいずれか一方の平面部に装着した磁気検出用の第１の磁気検出手段および第２の磁気検出手段とを備えている。
【００１８】
更に、前記第１磁石と第１の磁気検出手段とを前記第１の筐体と第２の筐体とのそれぞれの幅方向の中央部に、前記第２磁石と第２の磁気検出手段とを前記第１の筐体上と第２の筐体上でそれぞれ前記ユニバーサルヒンジ部の一方の側の端部に近接して、それぞれ装着する。この場合、前記第１磁石と第１の磁気検出手段、および前記第２磁石と第２の磁気検出手段の前記各装着位置は、それぞれ前記第１の筐体と第２の筐体とを前記ユニバーサルヒンジ部を介して閉じる方向に折り畳んだ場合に、前記各磁石とこれに対応する磁気検出手段とがそれぞれが重なり合うような位置とする。そして、前述した第１および第２の二つの各磁気検出手段からの検出情報に基づいて前記第１の筐体と第２の筐体との開閉状態および相対的な回転状態二態の合計四態を判別する状態判別手段を備えたことを特徴とする。
【００１９】
このため、この発明によれば、ユニバーサルヒンジ部により第１の筐体と第２の筐体とがその連結端部を回動支点として開閉されると共に、第１の筐体がその表示部に垂直な軸周り、及び表示部に平行な軸周りに回転される。そして、これらの開閉状態、および回転状態が状態判別手段により判別される。ここで、状態判別手段は、第１の磁気検出手段の検出情報、及び第２の磁気検出手段の検出情報に基づいてそれぞれ、第１の筐体と第２の筐体との開閉状態、回転状態を判別することができ、複雑な回転検出回路を用いずに、２個の磁気検出手段と少ない磁石とを用いて、携帯電子機器の筐体の状態が開状態、表示部を外側に向けて閉じた閉状態、表示背面の閉状態、表示背面の閉状態で９０度回転させた９０度状態の、４種の状態のいずれかであることを検出することができる。
【００２０】
又、上述したように、第１の筐体と第２の筐体とを折り畳んだ閉状態をより確実に検出できるとともに、磁石と磁気検出手段とが重なり合うように配置されているので、互いの位置を所定の位置に設置することで、表示背面の閉状態で９０度回転させた９０度の状態を検出できるようになる。
更に、第１磁石と第１の磁気検出手段とを、第１の筐体と第２の筐体とのそれぞれの幅方向の中央部分に設ければよいので、取り付け位置の確認が容易となり、取り付け作業が容易である。
【００２１】
又、第２磁石と第２の磁気検出手段とが第１の筐体と第２の筐体とのそれぞれユニバーサルヒンジ部寄り、且つユニバーサルヒンジ部の一方の側の近傍に設けられているので、第１の筐体の表示部を外側に向けた表示背面閉状態で９０度回転させるとき、第２磁石と第２の磁気検出手段とが重なり合った状態から、僅かに回転させるだけで表示背面の閉状態で９０度回転させた９０度状態を得ることができる。
【００２２】
ここで、前述した第１磁石と第１の磁気検出手段とを、相互に対応関係を維持しつつ前記第１の筐体と第２の筐体とのそれぞれの幅方向の中央部から一方の幅方向に向かってずれた位置に、配転して装着すると共に、前記第１磁石と同一の筐体上で且つ前記第１の筐体の表示背面を前記第２の筐体に対して閉状態とした場合の前記第２の磁気検出手段に対向する位置に、第３磁石を配設してもよい。
【００２３】
このため、本発明によれば、ユニバーサルヒンジ部により第１の筐体と第２の筐体とが開閉されると共に、第１の筐体がその表示部に垂直な軸周り、及び表示部に平行な軸周りに回転され、これらの開閉状態、および回転状態が状態判別手段により判別される。
上述した状態判別手段は、第１の磁気検出手段の検出情報、及び第２の磁気検出手段の検出情報に基づいて、それぞれ、第１の筐体と第２の筐体との開閉状態、回転状態を判別することができるので、複雑な回転検出回路を用いずに、２個の磁気検出手段と少ない磁石とを用いて、前述した第１磁石と第１の磁気検出手段とを筐体中央部に配置した場合と同様に、携帯電子機器の筐体の状態が開状態、表示部を外側に向けて閉じた閉状態、表示背面の閉状態、表示背面の閉状態で９０度回転させた９０度状態の、４種の状態のいずれかであるかを検出することができる。
【００２４】
ここで、前述した第１の磁気検出手段を、前記第１磁石との対応関係を維持しつつ前記第２の筐体の操作パネルの操作キー領域内に配設してもよい。
【００２５】
更に、前述した状態判別手段を、前記第１の磁気検出手段及び第２の磁気検出手段で検出すると共に当該検出された信号を入力するＣＰＵで構成する。そして、このＣＰＵが、前記第１の磁気検出手段及び第２の磁気検出手段からの検出信号が入力された場合に機能し、当該各検出信号が、予め作成された各検出信号の状態組み合わせ情報の何れに該当するかを判別し前記第１の筐体と第２の筐体との開閉状態および相対的な回転状態二態の合計四態を判別する状態判別機能を備えた構成としてもよい。
【００２６】
このように、本発明によれば、第１の筐体と第２の筐体の状態とこれに対応する第１の磁気検出手段及び第２の磁気検出手段から出力される信号の組み合わせが、予め対応して記憶されているので、状態判別手段では、受信した信号から、その各筐体の状態を容易に判別することができる。
【発明の効果】
【００２７】
以上のように本発明によれば、第１の筐体と第２の筐体とが各端部で開閉自在に連結され、又当該端部で第１の筐体がその表示部に垂直な軸周りに及び表示部に平行な軸周りにそれぞれ回転され、更にこれらの開閉状態および回転状態が状態判別手段により判別される構成としたので、複雑な回転検出回路を用いることなく、二個の磁気検出手段とこれに対応する二個の磁石とに基づいて、携帯電子機器の筐体の状態が開状態、表示部を外側に向けて閉じた閉状態、表示背面の閉状態、表示背面の閉状態で９０度回転させた９０度状態の、四種の状態のいずれかであることを、少ない構成手段にてリアルタイムで迅速に且つ確実に検出することができるという従来にない優れた携帯電子機器を提供することができる。
【発明を実施するための最良の形態】
【００２８】
以下、本発明に係る携帯電子機器１０の実施形態を図面に基づいて説明する。
図１乃至図２において、本実施形態における携帯電子機器１０は、第１の筐体である表示筐体１１と、この表示筐体１１と対をなす第２の筐体である情報入力側の操作筐体２１とを備えて構成されている。
【００２９】
表示筐体（第１の筐体）１１は、薄型の箱体（ケーシング）状に形成され、一方の主面（つまり前面）上に、メインディスプレイを有する表示部である表示面１１Ａが設けられている。また、一方の主面の反対面である他方の主面（つまり背面）上には、メインディスプレイよりも表示画面が小さなサブディスプレイ（図示略）が設けられている。
【００３０】
操作筐体（第二の筐体）２１は、表示筐体１１とほぼ同一の形状に形成され、一方の主面（つまり前面）上に、情報入力用の各種操作キーを有する操作パネル２１Ａが設けられている。また、この一方の主面の反対面である他方の主面（つまり背面）上には、撮像素子からなるデジタルカメラ等が設けられ、操作筐体２１の側面にはデジタルカメラでの撮影時にシャッター操作を行なうためのサイドキー（図略）が設けられている。
【００３１】
又、図２に示すように、上述した表示筐体１１と操作筐体２１とは、その各端部でユニバーサルヒンジ３０により、矢印Ａ方向に開閉可能（つまり折り畳み可能）に連結されている。また、表示筐体１１は、ユニバーサルヒンジ３０により表示筐体１１の表示面１１Ａに垂直な軸Ｂ周り、及び表示面１１Ａに平行な軸Ｃ周りに回転可能となっている。
【００３２】
そして、上述したように、連結部と回転部とを兼用するユニバーサルヒンジ３０により、表示筐体１１と操作筐体２１とは、図３（Ａ）に示すように両者１１，２１を開いた開状態、図３（Ｂ）に示すように、表示面１１Ａと操作パネル２１Ａとを互いに内側に向けて折り畳んで収納した閉状態、図３（Ｃ）に示すように表示面１１Ａと操作パネル２１Ａとを互いに反対方向に向けて両者１１Ａ，２１Ａを展開させた表示背面閉状態、図３（Ｄ）に示すように表示面１１Ａと操作パネル２１Ａとを表示背面閉状態で９０度回転させた９０度状態、の４つの状態とすることができるようになっている。
【００３３】
前述した図３（Ａ）〜図３（Ｄ）の状態は、それぞれ磁石と当該磁石の磁気を検出する磁気検出手段とにより検出され、識別されるようになっている。
即ち、図１に示すように、表示筐体１１には第１磁石１２及び第２磁石１３の２個の磁石が設けられ、操作筐体２１には第１の磁気検出手段である第１ホールＩＣ２２と第２の磁気検出手段である第２ホールＩＣ２３とが設けられている。
【００３４】
第１磁石１２は、表示筐体１１の幅方向の略中央部、且つ表示面１１Ａを挟んでユニバーサルヒンジ３０の反対側の端部に配置され、表示筐体１１の内部の、図示しない例えば基板に取り付けられている。
【００３５】
第２磁石１３は、表示筐体１１の幅方向一方側端部（図１において左側）で且つ表示面１１Ａとユニバーサルヒンジ３０との間に配置され、表示筐体１１の内部の図示しない例えば基板に取り付けられている。これにより、第１磁石１２及び第２磁石１３は、表示筐体１１の平面部に設けられていることになる。
なお、第２磁石１３については、上記とは反対側、つまり図１において右側に配置してもよい。
【００３６】
前記第１磁石１２及び第２磁石１３は、例えば薄型の直方体形状の磁石片で形成され、主面に垂直な方向に磁界を形成するものが用いられている。
すなわち、各磁石１２，１３における一方の主面，例えば前記基板との当接面が、磁極のＮ極、他方の主面、つまり突出上端面がＳ極となっており、各磁石１２，１３を貫く磁力線は、両主面に垂直となっている。
【００３７】
これに対して、第１ホールＩＣ２２は、操作筐体２１の幅方向の中央部で且つユニバーサルヒンジ３０を挟んで前記第１磁石１２の反対側の対称位置に配置され、操作筐体２１の内部の図示しない例えば基板に取り付けられている。この場合、ホールＩＣである第１ホールＩＣ２２は、図１で明らかのように、操作パネル２１Ａ上の各種操作キー領域における下端部中央に配設されている。
そのため、第１ホールＩＣ２２は、表示筐体１１を折り畳んだとき、当該表示筐体１１に設けられた前記第１磁石１２と、表示筐体１１及び操作筐体２１の平面方向に重なり合い、これによって上記第１ホールＩＣ２２と第１磁石１２とが対応できるようになっている。
【００３８】
第２ホールＩＣ２３は、操作筐体２１の操作パネル２１Ａとユニバーサルヒンジ３０
との間において幅方向の一方の側の端部で且つユニバーサルヒンジ３０を挟んで前記表示筐体１１の第２磁石１３の反対側の対称位置に配置され、操作筐体２１の内部の図示しない例えば基板に取り付けられている。
以上のように、第１ホールＩＣ２２及び第２ホールＩＣ２３は、操作筐体２１の平面部に設けられていることになる。
【００３９】
前記第１、第２ホールＩＣ２２，２３は、例えば、ホール素子、オペレーションアンプ、及びコンパレータからなる３端子型のＩＣチップが用いられ、磁束密度が低い場合に、電圧レベルがＨigh レベル（ハイレベル）となる検出信号が生成され、磁束密度が高い場合に、電圧レベルがＬowレベル（ローレベル）となる検出信号が生成される。
【００４０】
以上のような第１磁石１２の磁気を第１ホールＩＣ２２により検出することにより、表示筐体１１と操作筐体２１との開閉動作が検出され、第２磁石１３の磁気を第２ホールＩＣ２３により検出することにより、操作筐体２１に対する表示筐体１１の回転動作が検出されるようになっている。
【００４１】
即ち、図３（Ａ）の開状態では、その状態を拡大した図１に示すように、第１磁石１２及び第２磁石１３と、第１ホールＩＣ２２及び第２ホールＩＣ２３とが、ユニバーサルヒンジ３０を挟んで、それぞれ反対方向に位置しているので、各ホールＩＣ２２，２３で各磁石１２，１３の磁気を検出することはできず、検出範囲外である。
このような状態では、第１ホールＩＣ２２がハイレベル４１の検出信号を出力し、第２ホールＩＣ２３がハイレベル４３の検出信号を出力するように設定されている。
【００４２】
前記開状態では、オフフックキーによる発信操作や、着信時における応答操作、デジタルカメラによる撮影操作、電子メールの編集操作、受信した電子メールの閲覧操作、電子電話帳の検索操作、インターネット接続時におけるウェブサイトの閲覧操作等が行なわれる。また、発信時や着信時には、入力した発信電話番号や発信元番号等がメインディスプレイに表示される。更に、撮影時には撮影した画像がメインディスプレイにファインダーとして表示されるようになっている。
【００４３】
図３（Ｂ）の閉状態では、その状態を拡大した図４に示すように、第１磁石１２と第１ホールＩＣ２２とが、又第２磁石１３と第２ホールＩＣ２３とが、それぞれ表示筐体１１及び操作筐体２１の平面方向に重なった状態である。そのため、第１，第２の各磁石１２，１３は、第１，第２の各ホールＩＣ２２，２３による磁気検出範囲内である。
このような状態では、第１ホールＩＣ２２がローレベル４２の検出信号を出力し、第２ホールＩＣ２３がローレベル４４の検出信号を出力するように設定されている。
【００４４】
そして、前述した開状態から操作筐体２１に対して表示筐体１１をユニバーサルヒンジ３０の前記軸Ｃ周りに１８０度回転させて表示面１１Ａを外側に向けて閉じると、図３（Ｃ）に示すように、表示背面閉状態となる。
この表示背面閉状態では、その状態を拡大した図５に示すように、第１磁石１２と第１ホールＩＣ２２とが、表示筐体１１及び操作筐体２１の平面方向に重なった状態であり、第１磁石１２の磁気は、第１ホールＩＣ２２による磁気検出範囲内である。
このような状態では、第１ホールＩＣ２２はローレベル４２の検出信号を出力するように設定されている。
【００４５】
これに対して、第２磁石１３と第２ホールＩＣ２３とは、表示筐体１１と操作筐体２１とが重なった状態であるが、両者１３，２３は、表示筐体１１等の幅方向に所定寸法離れている。このため、第２磁石１３は第２ホールＩＣ２３による磁気検出範囲外である。
このような状態では、第２ホールＩＣ２３はハイレベル４３の検出信号を出力するように設定されている。
【００４６】
表示背面閉状態では、サイドキーによる発信操作や、着信時における応答操作、通話、撮影操作、メール受信時における閲覧操作、ウェブサイトからダウンロードした情報の閲覧操作等が行なわれる。この表示背面閉状態における画面表示及びレシーバーによる音声出力の切り替えは、前記各状態の識別結果に基づいて行なわれる。
【００４７】
更に、前述した表示背面閉状態から表示筐体１１を前記軸Ｂ周りに９０度回転させると、図３（Ｄ）に示すよううに、９０度状態となる。
この９０度状態では、その状態を拡大した図６に示すように、表示筐体１１と操作筐体２１とが一部重なった状態であるが、第１磁石１２と第１ホールＩＣ２２とは、９０度方向に所定寸法離れているため、第１磁石１２は第１ホールＩＣ２２による磁気検出範囲外である。
このような状態では、第１ホールＩＣ２２は、図３（Ａ）の場合と同じように、ハイレベル４１の検出信号を出力することになる。
【００４８】
これに対して、第２磁石１３と第２ホールＩＣ２３とは、表示筐体１１と操作筐体２１とが一部平面方向に重なった状態であり、第２ホールＩＣ２３による第２磁石１３の磁気検出範囲内である。
このような状態では、第２ホールＩＣ２３はローレベル４４の検出信号を出力するように設定されている。
【００４９】
前述のように、表示筐体１１と操作筐体２１とは、開状態等、４つの状態を維持することができるようになっており、それぞれの状態において、第１ホールＩＣ２２と第２ホールＩＣ２３とは、第１磁石１２と第２磁石１３との異なる主面、つまり異なる磁極を検出することになる。
【００５０】
例えば、図４に示すような、表示筐体１１と操作筐体２１との閉状態では、第１ホールＩＣ２２及び第２ホールＩＣ２３は、第１磁石１２と第２磁石１３との、それぞれのＳ極と対向しているため、そのＳ極を検出する。
【００５１】
これに対して、図５に示すような、表示筐体１１と操作筐体２１との表示面閉状態では、表示筐体１１の背面が操作筐体２１の操作面２１Ａと対向しているため、第１ホールＩＣ２２は第１磁石１２のＮ極と対向することになり、そのＮ極を検出することになる。
【００５２】
また、図６に示すような、表示筐体１１と操作筐体２１との９０度状態では、表示筐体１１の裏面が操作筐体２１の操作面２１Ａと対向している。このため、第２ホールＩＣ２３は、第２磁石１３のＮ極と対向することになり、そのＮ極を検出することになる。
以上のように、本第１実施形態の第１ホールＩＣ２２及び第２ホールＩＣ２３は、磁石のＳ極とＮ極との両極を検出できるタイプのものが使用されている。
【００５３】
以上のような第１ホールＩＣ２２及び第２ホールＩＣ２３からの出力は、図７に示すように、状態判別手段であるＣＰＵ３５に入力される。
このＣＰＵ３５では、図８に示すような第１ホールＩＣ２２と第２ホールＩＣ２３とから出力された検出信号の組み合わせにより、図３（Ａ）〜（Ｄ）に示す各状態を認識するようになっている。また、ＣＰＵ３５は、例えば操作筐体２１の内部に収容され、装着されている。そして、このような検出信号と前記４つの状態との組み合わせは予め設定されている。
【００５４】
例えば、ＣＰＵ３５に、第１ホールＩＣ２２からハイレベル４１の検出信号、第２ホールＩＣ２３からハイレベル４３の検出信号がそれぞれ入力されたとき、ＣＰＵ３５では、図８の組み合わせの中から、開状態を認識できるようになっている。つまり、図３（Ａ）及び図１に示す状態である。
【００５５】
又、ＣＰＵ３５に、第１ホールＩＣ２２からローレベル４２の検出信号、第２ホールＩＣ２３からローレベル４４の検出信号がそれぞれ入力されたとき、ＣＰＵ３５では、図８の組み合わせの中から、閉状態を認識できるようになっている。つまり、図３（Ｂ）及び図４に示す状態である。
【００５６】
更に、ＣＰＵ３５に、第１ホールＩＣ２２からローレベル４２の検出信号、第２ホールＩＣ２３からハイレベル４３の検出信号がそれぞれ入力されたとき、ＣＰＵ３５では、図８の組み合わせの中から、表示背面閉状態を認識できるようになっている。つまり、図３（Ｃ）及び図５に示す状態である。
【００５７】
更に又、ＣＰＵ３５に、第１ホールＩＣ２２からハイレベル４１の検出信号、第２ホールＩＣ２３からローレベル４４の検出信号がそれぞれ入力されたとき、ＣＰＵ３５では、図８の組み合わせの中から９０度状態を認識できるようになっている。つまり、図３（Ｄ）及び図６に示す状態である。
以上のように、ＣＰＵ３５により、各状態が識別され、これにより、各状態に応じて適切に動作制御が行なわれることになる。
【００５８】
次に、以上に説明したような本実施形態の携帯電子機器１０の動作を説明する。
図１に示すように、表示筐体１１と操作筐体２１とを開状態にすると、ＣＰＵ３５は、第１ホールＩＣ２２からのハイレベル４１の検出信号と、第２ホールＩＣ２３からのハイレベル４３の検出信号とをそれぞれ受信する。そして、このＣＰＵ３５は、予め設定されている検出信号と各状態との組み合わせから、開状態であることの認識を行ない、且つ所定の処理を行なう。
【００５９】
図４に示すように、表示筐体１１と操作筐体２１とを閉状態としたときは、ＣＰＵ３５が、第１ホールＩＣ２２からのローレベル４２、第２ホールＩＣ２３からのローレベル４４の検出信号をそれぞれ受信する。そして、ＣＰＵ３５は、予め設定されている検出信号と各状態との組み合わせから、閉状態であることの認識を行ない、且つ所定の処理を行なう。
【００６０】
図５に示すように、表示筐体１１と操作筐体２１とを表示背面の閉状態としたときは、ＣＰＵ３５が、第１ホールＩＣ２２からのローレベル４２、第２ホールＩＣ２３からのハイレベル４３の検出信号をそれぞれ受信する。そして、ＣＰＵ３５は、予め設定されている検出信号と各状態との組み合わせから、表示背面の閉状態状態であることの認識を行ない、且つ所定の処理を行なう。
【００６１】
図６に示すように、表示筐体１１と操作筐体２１とを９０度状態としたときは、ＣＰＵ３５が、第１ホールＩＣ２２からのハイレベル４１の信号、第２ホールＩＣ２３からのローレベル４４の検出信号をそれぞれ受信する。そして、ＣＰＵ３５は、予め設定されている出力信号と各状態との組み合わせから、９０度状態であることの認識を行ない、且つ所定の処理を行なう。
【００６２】
上記第１の実施形態は以上のように構成され機能するので、以下の効果を奏する。
（１）．ユニバーサルヒンジ部３０により表示筐体１１と操作筐体２１とが開閉されると共に、表示筐体１１が軸Ｂ周り、及び軸Ｃ周りに回転され、これらの開閉状態、および回転状態がＣＰＵ３５により判別される。ＣＰＵ３５は、第１のホールＩＣ２２の検出結果、及び第２のホールＩＣ２３の検出信号から、それぞれ、表示筐体１１と操作筐体２１との開閉状態、回転状態を判別することができるので、複雑な回転検出回路を用いることなく、２個の磁気検出手段と２個の磁石とを用いて、携帯電子機器１０の状態が開状態、折り畳んだ閉状態、表示部を外側に向けて閉じた表示背面閉状態、表示背面閉状態で９０度回転させた９０度状態の、４種の状態のいずれかであることを検出することができる。
【００６３】
（２）．第１磁石１２と第１ホールＩＣ２２、及び第２磁石１３と第２ホールＩＣ２３とが、表示筐体１１と操作筐体２１とを折り畳んだとき、それぞれの磁石１２，１３とホールＩＣ２２，２３とが重なり合うような位置に配置されているので、閉状態をより確実に検出できるとともに、互いの位置を所定の位置に設置することで、表示背面の閉状態で９０度回転させた９０度の状態を検出できる。
【００６４】
（３）．第１磁石１２と第１ホールＩＣ２２とが、表示筐体１１と操作筐体２１とのそれぞれの幅方向略中央部に装着されているので、取り付け位置の確認が容易となり、取り付け作業が容易である。
【００６５】
（４）．第２磁石１３と第２ホールＩＣ２３とが、表示筐体１１と操作筐体２１とのそれぞれユニバーサルヒンジ部３０寄り、且つユニバーサルヒンジ部３０の一方側近傍に設けられているので、表示筐体１１の表示面１１Ａを外側に向けた表示背面閉状態で９０度回転させるとき、第２磁石１３と第２ホールＩＣ２３とが重なり合った状態から、僅かに回転させるだけで９０度状態を得ることができるので、操作が容易となる。
【００６６】
（５）．第１、第２磁石１２，１３、及び第１、第２ホールＩＣ２２，２３が、それぞれ表示筐体１１、操作筐体２１の平面部に設けられているので、取り付け作業が容易となる。
【００６７】
（６）．表示筐体１１と操作筐体２１との、前記４つの状態と、第１、第２ホールＩＣ２２，２３から出力される検出信号の組み合わせが予め設定されているので、ＣＰＵ３５では、受信した信号の組み合わせから、４つの状態のうち、いずれであるかを容易に判別することができる。
【００６８】
次に、本発明の第２実施形態を図９〜１４に基づいて説明する。
ここで、前述した第１実施形態の携帯電子機器１０の場合と同一の構成部材については同一の符号を用いるものとする。
この図９〜１４に示す携帯電子機器５０は、第１の筐体である表示筐体５１に３個の磁石を設けた点が前述した第１実施形態と異なる。その他の構成は前述した第１実施形態とほぼ同一となっている。
このように構成したことで、磁石を表示筐体１１の幅方向中央部に取り付けられない場合や、一つのホールＩＣを両極検出用とすると不具合が生じる場合には、効果的に用いることができる。
【００６９】
図９に示すように、携帯電子機器５０は、前記表示筐体５１と、第２の筐体である操作筐体５２とを備えて構成されている。表示筐体５１には、第１磁石５２、第３磁石５３及び第２磁石５４の３個の磁石が設けられている。
【００７０】
第１磁石５２及び第３磁石５３は、表示筐体５１のユニバーサルヒンジ３０とは反対側端部で且つ表示面５１Ａの外側に設けられ、表示筐体５１の幅方向に沿った直線上に所定間隔離して設けられている。そして、第１磁石５２及び第３磁石５３のユニバーサルヒンジ３０からの離間距離は、前述した第１実施形態における第１磁石１２の場合とほぼ同じである。
第２磁石５４は、前述した第１実施形態における第２磁石１３とほぼ同じ位置に設けられ、この第２磁石５４と第３磁石５３とは、表示筐体５１の長手方向に沿ったほぼ同一直線上に配置されている。
【００７１】
ここで、第１磁石５２及び第３磁石５３の極性は、第１磁石５２の突出上端面がＮ極、第３磁石５３の突出上端面がＳ極となるように設定されている。
【００７２】
これに対して、操作筐体６１には、第１の磁気検出手段としての第１ホールＩＣ６２、及び第２の磁気検出手段としての第２ホールＩＣ６３の二個のホールＩＣが設けられている。
第１ホールＩＣ６２は、図９に示すように、操作筐体６１の幅方向中央部から一方の側の端部寄りにずらした位置の操作パネル６１Ａ上に設けられ、表示筐体５１の第１磁石５２と対応するようになっている。即ち、ＩＣである第１ホールＩＣ６２は、図９で明らかのように、操作パネル６１Ａ上の各種操作キー領域における下端部で一方の側端部寄りにずらした位置に配置されている。
第２ホールＩＣ６３は、前述した第１実施形態の第２ホールＩＣ２３とほぼ同じ位置に配置され、表示筐体５１の第２磁石５４と対応するようになっている。
なお、各磁石５２，５４，５３及び第１，２ホールＩＣ６２，６３を、上記と勝手違いに配置してもよい。
【００７３】
以上のように、第１ホールＩＣ６２により第１磁石５２の磁気を検出することにより、表示筐体５１と操作筐体６１との開閉動作が検出され、第２ホールＩＣ６３により第２磁石５４の磁気を検出することにより、操作筐体６１に対する表示筐体５１の回転動作が検出されるようになっている。
【００７４】
即ち、図９に示す開状態では、第１磁石５２，第３磁石５３，及び第２磁石５４と、第１ホールＩＣ６２，及び第２ホールＩＣ６３とが、ユニバーサルヒンジ３０を挟んでそれぞれ反対方向に位置しており、各ホールＩＣ４２，４３で各磁石５２，５３，５４を検出することはできず、検出範囲外である。
このような状態では、第１ホールＩＣ６２はハイレベル４５の検出信号を出力し、第２ホールＩＣ６３はハイレベル４３の信号を出力するように設定されている。
【００７５】
図１０の閉状態では、第１磁石５２と第１ホールＩＣ６２、及び第２磁石５４と第２ホールＩＣ６３とが、表示筐体５１及び操作筐体６１の平面方向に重なった状態であり、各ホールＩＣ６２，６３による第１磁石５２及び第２磁石５４の磁気検出範囲内である。
このような状態では、第１ホールＩＣ６２はローレベル４６の検出信号を出力し、第２ホールＩＣ６３はローレベル４４の検出信号を出力するように設定されている。
【００７６】
図１１の表示背面閉状態では、第３磁石５３と第１ホールＩＣ６２とは、表示筐体５１及び操作筐体６１の平面方向に重なった状態なので、第１ホールＩＣ６２による第３磁石５３の磁気検出範囲内である。
このような状態では、第１ホールＩＣ６２はローレベル４６の検出信号を出力するように設定されている。
【００７７】
これに対して、第１磁石５２及び第２磁石５４と第２ホールＩＣ６３とは、表示筐体５１と操作筐体６１とが一部重なった状態であるが、各磁石５２，５４は、第２ホールＩＣ６３から離れている。このため、第２ホールＩＣ６３による第１磁石５２及び第２磁石５４の磁気を検出することはできず、磁気検出範囲外である。
このような状態では、第２ホールＩＣ６３はハイレベル４３の検出信号を出力するように設定されている。
【００７８】
図１２の９０度状態では、表示筐体５１と操作筐体６１とが一部平面方向に重なった状態であるが、第１磁石５２及び第３磁石５３と第１ホールＩＣ６２とは、９０度方向に所定寸法離れている。このため、第１ホールＩＣ６２による第１磁石５２及び第３磁石５３の磁気を検出することはできず、磁気検出範囲外である。
このような状態では、第１ホールＩＣ６２のホールＩＣは、ハイレベル４５の検出信号を出力するように設定されている。
【００７９】
これに対して、第２磁石５４と第２ホールＩＣ６３とは、表示筐体５１と操作筐体６１とが一部平面方向に重なった状態であり、第２ホールＩＣ６３による第２磁石５４の磁気を検出することができ、磁気検出範囲内である。
このような状態では、第２ホールＩＣ６３はローレベル４４の信号を出力するように設定されている。
【００８０】
以上のような第１ホールＩＣ６２及び第２ホールＩＣ６３からの検出信号の出力は、図１３に示すように、判別手段であるＣＰＵ６５に入力される。
そして、このＣＰＵ６５では、図１４に示すような第１ホールＩＣ６２と第２ホールＩＣ６３との検出信号の組み合わせにより、図９〜図１２に示す４つの状態を認識するようになっている。
【００８１】
例えば、ＣＰＵ６５に、第１ホールＩＣ６２からハイレベル４３の検出信号、第２ホールＩＣ６３からハイレベル４５の検出信号がそれぞれ入力されたとき、ＣＰＵ６５では、図１４の組み合わせの中から、開状態を認識する。つまり、図９に示す状態である。
【００８２】
ＣＰＵ６５に、第１ホールＩＣ６２からローレベル４４の検出信号、第２ホールＩＣ６３  からローレベル４６の検出信号がそれぞれ入力されたとき、ＣＰＵ６５では、図１４の組み合わせの中から、閉状態を認識する。つまり、図１０に示す状態である。
【００８３】
ＣＰＵ６５に、第１ホールＩＣ６２からハイレベル４３の検出信号、第２ホールＩＣ６３からローレベル４６の検出信号がそれぞれ入力されたとき、ＣＰＵ６５では、図１４の組み合わせの中から、表示背面閉状態を認識する。つまり、図１１に示す状態である。
【００８４】
ＣＰＵ６５に、第１ホールＩＣ６２からＬｏレベル４４の検出信号、第２ホールＩＣ６３からハイレベル４５の検出信号がそれぞれ入力されたとき、ＣＰＵ６５では、図１４の組み合わせの中から、９０度状態を認識する。つまり、図１２に示す状態である。
そして、ＣＰＵ６５により、各状態が識別され、これにより、各状態に応じて適切に動作制御が行なわれることになる。
【００８５】
以上のように、第１磁石５２をＮ極、第３磁石５３をＳ極にしてあり、表示筐体５１と操作筐体６１とが４つの状態に変化するので、検出極も変化する。即ち、図１０に示す閉状態では、第１ホールＩＣ６２が、第１磁石５２のＮ極を検出する。これに対して、図１１に示す表示背面の閉状態では、第１ホールＩＣ６２が、第３磁石５３のＳ極の反対面となるＮ極と対向することになるので、そのＮ極を検出することになる。
その結果、第１ホールＩＣ６２の磁石の検出極がＮ極のみとなり、第１ホールＩＣ６２として片極検出用のものを使用できる。
【００８６】
次に、上記第２実施形態の動作を説明する。
図９に示すように、表示筐体５１と操作筐体６１とを開状態に設定すると、ＣＰＵ６５は、第１ホールＩＣ６２からのハイレベル４３の検出信号、第２ホールＩＣ６３からのハイレベル４５の検出信号を、それぞれ受信する。そして、ＣＰＵ６５は、予め設定されている検出信号と各状態との組み合わせから、開状態であることの認識を行ない、且つ所定の処理を行なう。
【００８７】
図１０に示すように、表示筐体５１と操作筐体６１とを閉状態としたときは、ＣＰＵ６５が、第１ホールＩＣ６２からのローレベル４２、第２ホールＩＣ６３からのローレベル４４の検出信号をそれぞれ受信する。そして、ＣＰＵ６５は、予め設定されている検出信号と各状態との組み合わせから、開状態であることの認識を行ない、且つ所定の処理を行なう。
【００８８】
図１１に示すように、表示筐体５１と操作筐体６１とを表示背面の閉状態としたときは、ＣＰＵ６５が、第１ホールＩＣ６２からのローレベル４２の検出信号、第２ホールＩＣ６３からのハイレベル４３の検出信号をそれぞれ受信する。そして、ＣＰＵ６５は、予め設定されている検出信号と各状態との組み合わせから、開状態であることの認識を行ない、且つ所定の処理を行なう。
【００８９】
図１２に示すように、表示筐体５１と操作筐体６１とを９０度状態としたときは、ＣＰＵ６５が、第１ホールＩＣ６２からのハイレベル４１の信号、第２ホールＩＣ６３からのローレベル４４の信号をそれぞれ受信する。そして、ＣＰＵ６５は、予め設定されている出力信号と各状態との組み合わせから、開状態であることの認識を行ない、且つ所定の処理を行なう。
【００９０】
以上のような第２実施形態によれば、前述した第１実施形態の（２）〜（６）と略同様の効果を奏するほか、更に、次のような効果を得ることができる。
（７）．ユニバーサルヒンジ部３０により表示筐体５１と操作筐体６１とが開閉されると共に、表示筐体５１が軸Ｂ周り、及び軸Ｃ周りに回転され、これらの開閉状態、および回転状態がＣＰＵ６５により判別される。ＣＰＵ６５は、第１のホールＩＣ６２の検出結果、及び第２のホールＩＣ６３の検出結果から、それぞれ、表示筐体５１と操作筐体６１との開閉状態、回転状態を判別することができるので、複雑な回転検出回路を用いることなく、２個のホールＩＣ６２，６３と３個の磁石５２，５３，５４とを用いて、前述した第１実施形態にあって第１磁石と第１の磁気検出手段とを筐体中央部に配置した場合と同様に、携帯電子機器５０の状態が開状態、折り畳んだ閉状態、表示部を外側に向けて閉じた表示背面閉状態、表示背面閉状態で９０度回転させた９０度状態の、４種の状態のいずれかであることを検出することができる。
【００９１】
（８）．第１磁石５２がＮ極、第３磁石５３がＳ極になっているので、閉状態では、第１ホールＩＣ６２が、第１磁石５２のＮ極を検出し、表示背面の閉状態では、第１ホールＩＣ６２が、第３磁石５３のＳ極の反対面となるＮ極と対向することになるので、そのＮ極を検出する。その結果、第１ホールＩＣ６２の磁石の検出極がＮ極のみとなり、第１ホールＩＣ６２を片極検出用として使用できる。
【００９２】
なお、本発明は上述した各実施形態に限定されるものではなく、本発明の目的を達成できる範囲での変形、改良等は全て本発明に含まれるものである。
例えば、前記第１実施形態では、表示筐体１１に第１磁石１２，第２磁石１３を設け、操作筐体１２に第１ホールＩＣ２２，第２ホールＩＣ２３を設けたが、これに限らない。表示筐体１１に第１ホールＩＣ２２，第２ホールＩＣ２３を設け、操作筐体１２に第１磁石１２，第２磁石１３を設けてもよい。この場合、第２磁石１３及び第２ホールＩＣ２３を、表示筐体１１、操作筐体１２の幅方向の反対側対象位置に設けてもよい。
【００９３】
また、前記第２実施形態では、表示筐体５１に第１磁石５２、第３磁石５３、第２磁石５４を設け、操作筐体６２に第１ホールＩＣ６２、第２ホールＩＣ６３を設けたが、これに限らない。表示筐体５１に第１ホールＩＣ６２、第２ホールＩＣ６３を設け、操作筐体６２に第１磁石５２、第３磁石５３、第２磁石５４を設けてもよい。この場合、第１磁石５２、第３磁石５３、第２磁石５４、及び第１ホールＩＣ６２、第２ホールＩＣ６３の配置を、上記配置と勝手違いにしてもよい。
【産業上の利用可能性】
【００９４】
本発明は、携帯電話機および携帯用のゲーム機等に利用できる。
【図面の簡単な説明】
【００９５】
【図１】本発明の第１実施形態を示す開状態の場合の全体正面図である。
【図２】図１における第１実施形態の全体側面図である。
【図３】図１における第１実施形態の各可変設定状態を示す図で、同図（Ａ）は開状態、同図（Ｂ）は閉状態、同図（Ｃ）は背面閉状態、同図（Ｄ）は９０度状態を示す説明図である。
【図４】図１における第１実施形態の閉状態を示す正面図である。
【図５】図１における第１実施形態の背面閉状態を示す正面図である。
【図６】図５における携帯電子機器の表示筐体が９０度回動された状態を示す正面図である。
【図７】図１における第１実施形態の状態判別手段を示すブロック図である。
【図８】図１における第１実施形態の検出信号と状態との組み合わせを示す図表である。
【図９】本発明の第２実施形態を示す開状態の場合の全体正面である。
【図１０】図９に開示した第２実施形態の閉状態を示す正面図である。
【図１１】図９に開示した第２実施形態の背面閉状態を示す正面図である。
【図１２】図１１における実施携帯の背面閉状態の表示筐体部分を９０度回動させた場合の状態を示す正面図である。
【図１３】図９に開示した第２実施形態の状態判別手段を示すブロック図である。
【図１４】図９に開示した第２実施形態の検出信号と状態との組み合わせを示す図表である。
【図１５】従来の携帯電話機を示す全体斜視図である。
【図１６】図１５のＸ−Ｘ線に沿った断面図である。
【図１７】他の従来例を示す全体斜視図である。
【符号の説明】
【００９６】
１０，５０  携帯電子機器
１１，５１  第１の筐体としての表示筐体
１１Ａ，５１Ａ  表示部である表示面
１２，５２  第１磁石
１３，５４  第２磁石
２１  第２の筐体である操作筐体
２２，６２  第１の磁気検出手段としての第１ホールＩＣ
２３，６３  第２の磁気検出手段である第２ホールＩＣ
３５，６５  状態判別手段としてのＣＰＵ
５３  第３磁石
【手続補正３】
【補正対象書類名】図面
【補正対象項目名】図９
【補正方法】変更
【補正の内容】
【図９】
2007208335.tif 000020